(57)【要約】  本開示は、伝送処理方法、端末及び制御ノードを提供する。この方法は、第一の伝送と第二の伝送に衝突が発生した場合、衝突処理ポリシーに基づき、前記第一の伝送と前記第二の伝送に対して衝突処理を行うことを含み、前記第一の伝送と前記第二の伝送のうちの少なくとも一つは、サイドリンクによる伝送であり、且つ前記第一の伝送と前記第二の伝送の伝送モードが異なる。【選択図】図１
2022501966.tif 000002
【特許請求の範囲】
【請求項１】
端末に用いられる伝送処理方法であって、
第一の伝送と第二の伝送に衝突が発生した場合、衝突処理ポリシーに基づき、前記第一の伝送と前記第二の伝送に対して衝突処理を行うことを含み、
前記第一の伝送と前記第二の伝送のうちの少なくとも一つは、サイドリンクによる伝送であり、且つ前記第一の伝送と前記第二の伝送の伝送モードが異なる、伝送処理方法。
【請求項２】
前記サイドリンクは、ニューラジオＮＲサイドリンクである、請求項１に記載の伝送処理方法。
【請求項３】
前記衝突処理ポリシーは、
インターフェースタイプパラメータ、サービス品質ＱｏＳパラメータ、サービスタイプ、チャネルタイプパラメータ、信号タイプパラメータ、伝送リソース周波数パラメータ、リソースプール優先度パラメータ、リソースパターン優先度パラメータ、データ伝送タイプパラメータ、リソース割り当てモード、リソース割り当て対象パラメータ、伝送パラメータと衝突重み付け値とのマッピング関係、および端末能力パラメータ、のうちの少なくとも一つに関連する、請求項１に記載の伝送処理方法。
【請求項４】
前記衝突処理ポリシーは、プロトコルによって予め定義されたポリシー、予め配置されたポリシー、または制御ノードによって配置されたポリシーである、請求項１に記載の伝送処理方法。
【請求項５】
前記衝突処理ポリシーの有効化条件は、プロトコルによって予め定義されたトリガ条件、予め配置された有効化条件、または制御ノードによって配置された有効化条件である、請求項１に記載の伝送処理方法。
【請求項６】
前記衝突処理ポリシーは、衝突処理操作を含み、前記衝突処理操作は、受信操作の放棄、送信操作の放棄、および送信パワーの低減、のうちの少なくとも一つを含む、請求項１に記載の伝送処理方法。
【請求項７】
前記衝突処理ポリシーは、
前記第一の伝送と前記第二の伝送のインターフェースタイプが異なる場合、前記第一の伝送と前記第二の伝送のうち、インターフェースタイプパラメータに基づいて決定される伝送である第一のターゲット伝送を廃棄するか、または前記第一のターゲット伝送の送信パワーを低減させること、
前記第一の伝送と前記第二の伝送に対応するサービス品質ＱｏＳ指標が異なる場合、前記第一の伝送と前記第二の伝送のうち、対応する優先度が比較的低いか、または時間遅延指標が比較的高い伝送である第二のターゲット伝送を廃棄するか、または前記第二のターゲット伝送の送信パワーを低減させること、
前記第一の伝送と前記第二の伝送に対応するサービスタイプが異なる場合、前記第一の伝送と前記第二の伝送のうち、対応するサービスタイプの優先度が比較的高い伝送、または、前記第一の伝送と前記第二の伝送のうち、対応するサービスタイプが予め設定されたサービスタイプに属さない伝送である第三のターゲット伝送を廃棄するか、または前記第三のターゲット伝送の送信パワーを低減させること、
前記第一の伝送と前記第二の伝送に対応するチャネルタイプまたは信号タイプが異なる場合、前記第一の伝送と前記第二の伝送のうち、対応するチャネルタイプまたは信号タイプの優先度が比較的高い伝送、または、前記第一の伝送と前記第二の伝送のうち、対応するチャネルタイプまたは信号タイプが予め設定されたタイプに属さない伝送である第四のターゲット伝送を廃棄するか、または前記第四のターゲット伝送の送信パワーを低減させること、
前記第一の伝送と前記第二の伝送に対応する伝送リソースの周波数パラメータが異なる場合、前記第一の伝送と前記第二の伝送のうち、対応する伝送リソースの周波数パラメータの優先度が比較的高い伝送、または、前記第一の伝送と前記第二の伝送のうち、対応する伝送リソースの周波数パラメータが予め設定された周波数パラメータに属さない伝送である第五のターゲット伝送を廃棄するか、または前記第五のターゲット伝送の送信パワーを低減させること、
前記第一の伝送と前記第二の伝送に対応する伝送リソースプールまたは伝送リソースパターンが異なる場合、前記第一の伝送と前記第二の伝送のうち、対応する伝送リソースプールまたは伝送リソースパターンの優先度が比較的高い伝送、または、前記第一の伝送と前記第二の伝送のうち、対応する伝送リソースプールまたは伝送リソースパターンが予め設定された伝送リソースプールまたは伝送リソースパターンに属さない伝送である第六のターゲット伝送を廃棄するか、または前記第六のターゲット伝送の送信パワーを低減させること、
前記第一の伝送と前記第二の伝送に対応するデータ伝送タイプが異なる場合、前記第一の伝送と前記第二の伝送のうち、対応するデータ伝送タイプの優先度が比較的高い伝送、または、前記第一の伝送と前記第二の伝送のうち、対応するデータ伝送タイプが予め設定されたデータ伝送タイプに属さない伝送である第七のターゲット伝送を廃棄するか、または前記第七のターゲット伝送の送信パワーを低減させること、
前記第一の伝送と前記第二の伝送に対応するリソース割り当て対象が異なる場合、前記第一の伝送と前記第二の伝送のうち、対応するリソース割り当て対象の優先度が比較的高い伝送、または、前記第一の伝送と前記第二の伝送のうち、対応するリソース割り当て対象が予め設定されたリソース割り当て対象に属さない伝送である第八のターゲット伝送を廃棄するか、または前記第八のターゲット伝送の送信パワーを低減させること、
前記第一の伝送と前記第二の伝送に対応するリソース割り当てモードが異なる場合、前記第一の伝送と前記第二の伝送のうち、対応するリソース割り当てモードの優先度が比較的高い伝送、または、前記第一の伝送と前記第二の伝送のうち、対応するリソース割り当てモードが予め設定されたリソース割り当てモードに属さない伝送である第九のターゲット伝送を廃棄するか、または前記第九のターゲット伝送の送信パワーを低減させること、及び
伝送パラメータと衝突重み付け値とのマッピング関係に基づき、前記第一の伝送と前記第二の伝送のそれぞれの衝突重み付け値を計算し、前記衝突重み付け値によって、前記第一の伝送と前記第二の伝送から、第十のターゲット伝送を決定し且つ廃棄するか、または前記第十のターゲット伝送の送信パワーを低減させること、のうちの少なくとも一つである、請求項１に記載の伝送処理方法。
【請求項８】
前記第一の伝送と前記第二の伝送のうちの一方がサイドリンクによる伝送であり、他方がＵｕインターフェースによる伝送である場合、前記第一のターゲット伝送は、サイドリンクによる伝送であり、
または
前記第一の伝送と前記第二の伝送のうちの一方がロングタームエボリューションＬＴＥによる伝送であり、他方がニューラジオＮＲによる伝送である場合、前記第一のターゲット伝送は、ニューラジオＮＲによる伝送である、請求項７に記載の伝送処理方法。
【請求項９】
制御ノードに用いられる伝送処理方法であって、
衝突が発生した第一の伝送と第二の伝送に対して衝突処理を行うための衝突処理ポリシーを送信することを含み、
前記第一の伝送と前記第二の伝送のうちの少なくとも一つは、サイドリンクによる伝送であり、且つ前記第一の伝送と前記第二の伝送の伝送モードが異なる、伝送処理方法。
【請求項１０】
前記サイドリンクは、ニューラジオＮＲサイドリンクである、請求項９に記載の伝送処理方法。
【請求項１１】
前記衝突処理ポリシーは、
インターフェースタイプパラメータ、サービス品質ＱｏＳパラメータ、サービスタイプ、チャネルタイプパラメータ、信号タイプパラメータ、伝送リソース周波数パラメータ、リソースプール優先度パラメータ、リソースパターン優先度パラメータ、データ伝送タイプパラメータ、リソース割り当てモード、リソース割り当て対象パラメータ、伝送パラメータと衝突重み付け値とのマッピング関係、および端末能力パラメータ、のうちの少なくとも一つに関連する、請求項９に記載の伝送処理方法。
【請求項１２】
前記衝突処理ポリシーの有効化条件を送信することをさらに含む、請求項９に記載の伝送処理方法。
【請求項１３】
第一の伝送と第二の伝送に衝突が発生した場合、衝突処理ポリシーに基づき、前記第一の伝送と前記第二の伝送に対して衝突処理を行うための衝突処理モジュールを含み、
前記第一の伝送と前記第二の伝送のうちの少なくとも一つは、サイドリンクによる伝送であり、且つ前記第一の伝送と前記第二の伝送の伝送モードが異なる、端末。
【請求項１４】
前記サイドリンクは、ニューラジオＮＲサイドリンクである、請求項１３に記載の端末。
【請求項１５】
前記衝突処理ポリシーは、
インターフェースタイプパラメータ、サービス品質ＱｏＳパラメータ、サービスタイプ、チャネルタイプパラメータ、信号タイプパラメータ、伝送リソース周波数パラメータ、リソースプール優先度パラメータ、リソースパターン優先度パラメータ、データ伝送タイプパラメータ、リソース割り当てモード、リソース割り当て対象パラメータ、伝送パラメータと衝突重み付け値とのマッピング関係、および端末能力パラメータ、のうちの少なくとも一つに関連する、請求項１３に記載の端末。
【請求項１６】
前記衝突処理ポリシーは、プロトコルによって予め定義されたポリシー、予め配置されたポリシー、または制御ノードによって配置されたポリシーである、請求項１３に記載の端末。
【請求項１７】
前記衝突処理ポリシーの有効化条件は、プロトコルによって予め定義されたトリガ条件、または予め配置された有効化条件、または制御ノードによって配置された有効化条件である、請求項１３に記載の端末。
【請求項１８】
前記衝突処理ポリシーは、衝突処理操作を含み、前記衝突処理操作は、受信操作の放棄、送信操作の放棄、および送信パワーの低減、のうちの少なくとも一つを含む、請求項１３に記載の端末。
【請求項１９】
前記衝突処理ポリシーは、
前記第一の伝送と前記第二の伝送のインターフェースタイプが異なる場合、前記第一の伝送と前記第二の伝送のうち、インターフェースタイプパラメータに基づいて決定される伝送である第一のターゲット伝送を廃棄するか、または前記第一のターゲット伝送の送信パワーを低減させること、
前記第一の伝送と前記第二の伝送に対応するサービス品質ＱｏＳ指標が異なる場合、前記第一の伝送と前記第二の伝送のうち、対応する優先度が比較的低いか、または時間遅延指標が比較的高い伝送である第二のターゲット伝送を廃棄するか、または前記第二のターゲット伝送の送信パワーを低減させること、
前記第一の伝送と前記第二の伝送に対応するサービスタイプが異なる場合、前記第一の伝送と前記第二の伝送のうち、対応するサービスタイプの優先度が比較的高い伝送、または、前記第一の伝送と前記第二の伝送のうち、対応するサービスタイプが予め設定されたサービスタイプに属さない伝送である第三のターゲット伝送を廃棄するか、または前記第三のターゲット伝送の送信パワーを低減させること、
前記第一の伝送と前記第二の伝送に対応するチャネルタイプまたは信号タイプが異なる場合、前記第一の伝送と前記第二の伝送のうち、対応するチャネルタイプまたは信号タイプの優先度が比較的高い伝送、または、前記第一の伝送と前記第二の伝送のうち、対応するチャネルタイプまたは信号タイプが予め設定されたタイプに属さない伝送である第四のターゲット伝送を廃棄するか、または前記第四のターゲット伝送の送信パワーを低減させること、
前記第一の伝送と前記第二の伝送に対応する伝送リソースの周波数パラメータが異なる場合、前記第一の伝送と前記第二の伝送のうち、対応する伝送リソースの周波数パラメータの優先度が比較的高い伝送、または、前記第一の伝送と前記第二の伝送のうち、対応する伝送リソースの周波数パラメータが予め設定された周波数パラメータに属さない伝送である第五のターゲット伝送を廃棄するか、または前記第五のターゲット伝送の送信パワーを低減させること、
前記第一の伝送と前記第二の伝送に対応する伝送リソースプールまたは伝送リソースパターンが異なる場合、前記第一の伝送と前記第二の伝送のうち、対応する伝送リソースプールまたは伝送リソースパターンの優先度が比較的高い伝送、または、前記第一の伝送と前記第二の伝送のうち、対応する伝送リソースプールまたは伝送リソースパターンが予め設定された伝送リソースプールまたは伝送リソースパターンに属さない伝送である第六のターゲット伝送を廃棄するか、または前記第六のターゲット伝送の送信パワーを低減させること、
前記第一の伝送と前記第二の伝送に対応するデータ伝送タイプが異なる場合、前記第一の伝送と前記第二の伝送のうち、対応するデータ伝送タイプの優先度が比較的高い伝送、または、前記第一の伝送と前記第二の伝送のうち、対応するデータ伝送タイプが予め設定されたデータ伝送タイプに属さない伝送である第七のターゲット伝送を廃棄するか、または前記第七のターゲット伝送の送信パワーを低減させること、
前記第一の伝送と前記第二の伝送に対応するリソース割り当て対象が異なる場合、前記第一の伝送と前記第二の伝送のうち、対応するリソース割り当て対象の優先度が比較的高い伝送、または、前記第一の伝送と前記第二の伝送のうち、対応するリソース割り当て対象が予め設定されたリソース割り当て対象に属さない伝送である第八のターゲット伝送を廃棄するか、または前記第八のターゲット伝送の送信パワーを低減させること、
前記第一の伝送と前記第二の伝送に対応するリソース割り当てモードが異なる場合、前記第一の伝送と前記第二の伝送のうち、対応するリソース割り当てモードの優先度が比較的高い伝送、または、前記第一の伝送と前記第二の伝送のうち、対応するリソース割り当てモードが予め設定されたリソース割り当てモードに属さない伝送である第九のターゲット伝送を廃棄するか、または前記第九のターゲット伝送の送信パワーを低減させること、及び
伝送パラメータと衝突重み付け値とのマッピング関係に基づき、前記第一の伝送と前記第二の伝送のそれぞれの衝突重み付け値を計算し、前記衝突重み付け値によって、前記第一の伝送と前記第二の伝送から、第十のターゲット伝送を決定し且つ廃棄するか、または前記第十のターゲット伝送の送信パワーを低減させること、のうちの少なくとも一つである、請求項１３に記載の端末。
【請求項２０】
前記第一の伝送と前記第二の伝送のうちの一方がサイドリンクによる伝送であり、他方がＵｕインターフェースによる伝送である場合、前記第一のターゲット伝送は、サイドリンクによる伝送であり、
または
前記第一の伝送と前記第二の伝送のうちの一方がロングタームエボリューションＬＴＥによる伝送であり、他方がニューラジオＮＲによる伝送である場合、前記第一のターゲット伝送は、ニューラジオＮＲによる伝送である、請求項１９に記載の端末。
【請求項２１】
衝突が発生した第一の伝送と第二の伝送に対して衝突処理を行うための衝突処理ポリシーを送信するための第一の送信モジュールを含み、
前記第一の伝送と前記第二の伝送のうちの少なくとも一つは、サイドリンクによる伝送であり、且つ前記第一の伝送と前記第二の伝送の伝送モードが異なる、制御ノード。
【請求項２２】
前記サイドリンクは、ニューラジオＮＲサイドリンクである、請求項２１に記載の制御ノード。
【請求項２３】
前記衝突処理ポリシーは、
インターフェースタイプパラメータ、サービス品質ＱｏＳパラメータ、サービスタイプ、チャネルタイプパラメータ、信号タイプパラメータ、伝送リソース周波数パラメータ、リソースプール優先度パラメータ、リソースパターン優先度パラメータ、データ伝送タイプパラメータ、リソース割り当てモード、リソース割り当て対象パラメータ、伝送パラメータと衝突重み付け値とのマッピング関係、および端末能力パラメータ、のうちの少なくとも一つに関連する、請求項２１に記載の制御ノード。
【請求項２４】
前記制御ノードは、
前記衝突処理ポリシーの有効化条件を送信するための第二の送信モジュールをさらに含む、請求項２１に記載の制御ノード。
【請求項２５】
プロセッサ、メモリ、および、前記メモリに記憶され、前記プロセッサ上で運行できるコンピュータプログラムを含み、前記コンピュータプログラムが前記プロセッサによって実行される時、請求項１〜８のいずれか１項に記載の伝送処理方法におけるステップを実現させる、端末。
【請求項２６】
プロセッサ、メモリ、および、前記メモリに記憶され、前記プロセッサ上で運行できるコンピュータプログラムを含み、前記コンピュータプログラムが前記プロセッサによって実行される時、請求項９〜１２のいずれか１項に記載の伝送処理方法におけるステップを実現させる、制御ノード。
【請求項２７】
コンピュータプログラムが記憶されており、前記コンピュータプログラムがプロセッサによって実行される時、請求項１〜８のいずれか１項に記載の伝送処理方法におけるステップを実現させる、コンピュータ可読記憶媒体。
【請求項２８】
コンピュータプログラムが記憶されており、前記コンピュータプログラムがプロセッサによって実行される時、請求項９〜１２のいずれか１項に記載の伝送処理方法におけるステップを実現させる、コンピュータ可読記憶媒体。
【発明の詳細な説明】
【技術分野】
【０００１】
（関連出願の相互参照）
本出願は、２０１８年９月２８日に中国で提出された中国特許出願番号Ｎｏ．２０１８１１１４３４３３．７の優先権を主張しており、同出願の内容の全ては、ここに参照として取り込まれる。
本開示は、通信技術分野に関し、特に伝送処理方法、端末及び制御ノードに関する。
【背景技術】
【０００２】
関連技術では、ユーザ端末（Ｕｓｅｒ  Ｅｑｕｉｐｍｅｎｔ、ＵＥ）は、ロングタームエボリューション（Ｌｏｎｇ  Ｔｅｒｍ  Ｅｖｏｌｕｔｉｏｎ、ＬＴＥ）システムに基づき、通信することができる。このようなモードの下で、ユーザ端末ＵＥ間は、基地局とセルラーネットワークを介してデータ伝送を行う。移動通信技術の発展に伴い、ＬＴＥシステムは、サイドリンク（ｓｉｄｅｌｉｎｋ）伝送もサポートし、すなわち、ユーザ端末ＵＥ間は、物理レイヤで直接にデータ伝送を行うことができる。
【０００３】
現在では、５Ｇニューラジオ（Ｎｅｗ  Ｒａｄｉｏ、ＮＲ）システムの出現に伴い、それは、例えばユニキャスト、マルチキャストまたはグループキャストなどの、より高レベルで、先進的なサイドリンク伝送タイプをサポートすることができるため、より全面的なサービスタイプをサポートすることができる。
【０００４】
ユーザ端末ＵＥがＬＴＥサイドリンクとニューラジオＮＲサイドリンクとの通信をサポートする場合、異なるモジュールを使用することで、異なるサービスをサポートすることができる。しかしながら、端末が、サイドリンクを含む複数の通信モードをサポートする場合、サイドリンク通信が、ハーフデュープレックス動作モードであるため、これらの通信モードの間に協調性が欠如していると、伝送衝突が発生する恐れがある。
【０００５】
しかしながら、関連技術では、サイドリンクを含む複数の通信モードをサポートする端末がどのように伝送衝突管理を行うかについては、まだ相応な技術案がない。
【発明の概要】
【発明が解決しようとする課題】
【０００６】
本開示の実施例は、端末がマルチモードデータ伝送を行う時に存在している衝突問題を解決するための伝送処理方法、端末及び制御ノードを提供する。
【０００７】
上記技術課題を解決するために、本開示は以下のように実現される。
【課題を解決するための手段】
【０００８】
第一の方面によれば、本開示の実施例は、端末に用いられる伝送処理方法を提供する。前記伝送処理方法は、
第一の伝送と第二の伝送に衝突が発生した場合、衝突処理ポリシーに基づき、前記第一の伝送と第二の伝送に対して衝突処理を行うことを含み、
前記第一の伝送と第二の伝送のうちの少なくとも一つは、サイドリンクによる伝送であり、且つ前記第一の伝送と前記第二の伝送の伝送モードが異なる。
【０００９】
第二の方面によれば、本開示の実施例は、制御ノードに用いられる別の伝送処理方法を提供する。前記伝送処理方法は、
衝突が発生した第一の伝送と第二の伝送に対して衝突処理を行うための衝突処理ポリシーを送信することを含み、
前記第一の伝送と第二の伝送のうちの少なくとも一つは、サイドリンクによる伝送であり、且つ前記第一の伝送と前記第二の伝送の伝送モードが異なる。
【００１０】
第三の方面によれば、本開示の実施例は、端末を提供する。前記端末は、
第一の伝送と第二の伝送に衝突が発生した場合、衝突処理ポリシーに基づき、前記第一の伝送と第二の伝送に対して衝突処理を行うための衝突処理モジュールを含み、
前記第一の伝送と第二の伝送のうちの少なくとも一つは、サイドリンクによる伝送であり、且つ前記第一の伝送と前記第二の伝送の伝送モードが異なる。
【００１１】
第四の方面によれば、本開示の実施例は、制御ノードを提供する。前記制御ノードは、
衝突が発生した第一の伝送と第二の伝送に対して衝突処理を行うための衝突処理ポリシーを送信するための第一の送信モジュールを含み、
前記第一の伝送と第二の伝送のうちの少なくとも一つは、サイドリンクによる伝送であり、且つ前記第一の伝送と前記第二の伝送の伝送モードが異なる。
【００１２】
第五の方面によれば、本開示の実施例は、端末を提供する。プロセッサ、メモリ、および、前記メモリに記憶され、前記プロセッサ上で運行できるコンピュータプログラムを含み、前記コンピュータプログラムが前記プロセッサによって実行される時、上記第一の方面に記載の伝送処理方法におけるステップを実現させる。
【００１３】
第六の方面によれば、本開示の実施例は、制御ノードを提供する。プロセッサ、メモリ、および、前記メモリに記憶され、前記プロセッサ上で運行できるコンピュータプログラムを含み、前記コンピュータプログラムが前記プロセッサによって実行される時、上記第二の方面に記載の伝送処理方法におけるステップを実現させる。
【００１４】
第七の方面によれば、本開示の実施例は、コンピュータ可読記憶媒体を提供する。前記コンピュータ可読記憶媒体にはコンピュータプログラムが記憶されており、前記コンピュータプログラムがプロセッサによって実行される時、上記第一の方面に記載の伝送処理方法におけるステップを実現させる。
【００１５】
第八の方面によれば、本開示の実施例は、コンピュータ可読記憶媒体を提供する。前記コンピュータ可読記憶媒体にはコンピュータプログラムが記憶されており、前記コンピュータプログラムがプロセッサによって実行される時、上記第二の方面に記載の伝送処理方法におけるステップを実現させる。
【発明の効果】
【００１６】
本開示の実施例において、第一の伝送と第二の伝送に衝突が発生した場合、衝突処理ポリシーに基づき、前記第一の伝送と第二の伝送に対して衝突処理を行い、前記第一の伝送と第二の伝送のうちの少なくとも一つは、サイドリンクによる伝送であり、且つ前記第一の伝送と前記第二の伝送の伝送モードが異なる。従って、端末は、複数組の異なる伝送モードのデータ伝送において、衝突処理ポリシーに基づき、データ伝送における衝突を処理することができ、それによって、マルチモードデータ伝送における送受信衝突、パワー制限および干渉等の問題を解決することができる。
【００１７】
本開示の実施例の技術案をより明瞭に説明ために、以下は、本開示の実施例の記述において使用すべき添付図面を簡単に紹介する。自明なことに、以下の記述における添付図面は、ただ本開示のいくつかの実施例に過ぎず、当業者にとって、創造的な労力を払わない前提で、それらの添付図面に基づいて、他の添付図面を取得することもできる。
【図面の簡単な説明】
【００１８】
【図１】本開示の実施例による伝送処理方法のフローチャートである。
【図２】本開示の実施例による別の伝送処理方法のフローチャートである。
【図３】本開示の実施例による端末の構成模式図である。
【図４】本開示の実施例による制御ノードの構成模式図である。
【図５】本開示の実施例による別の制御ノードの構成模式図である。
【図６】本開示の実施例による端末のハードウェアの構成模式図である。
【図７】本開示の実施例による制御ノードのハードウェアの構成模式図である。
【発明を実施するための形態】
【００１９】
以下は、本開示の実施例における添付図面を結び付けながら、本開示の実施例における技術案を明瞭且つ完全に記述する。明らかに、記述された実施例は、本開示の一部の実施例であり、全部の実施例ではない。本開示における実施例に基づき、当業者が創造的な労力を払わない前提で得られたすべての他の実施例は、いずれも本開示の保護範囲に属する。
【００２０】
本開示の実施例において、サイドリンクを含む複数の通信モードをサポートする端末に対して、伝送衝突管理方法を提供する。
【００２１】
当業者が本開示の実施例をよりよく理解することを容易にするために、まず、本開示の実施例に係る概念の一部について説明する。
【００２２】
まず、本開示の実施例において、対象となる伝送衝突の両方は、以下の条件を満たす。
１、双方の伝送モードが異なる。
２、少なくとも一方は、サイドリンクによる伝送であり、それは、ＬＴＥサイドリンクによる伝送であってもよく、ニューラジオＮＲサイドリンクによる伝送であってもよい。他方は、サイドリンクによる伝送であってもよく、Ｕｕインターフェースによる伝送であってもよい。
【００２３】
サイドリンクを含む複数の通信モードをサポートする端末は、複数のモードが連携して動作する場合、伝送衝突が発生する可能性がある。ここで、本開示の実施例に記述された伝送衝突に対して、以下の例を挙げる。
【００２４】
１、異なるインターフェース間での送受信に衝突が発生する。
例えば、ニューラジオＮＲサイドリンクによって送信操作を行う必要があるとともに、ＬＴＥサイドリンクによって受信操作を行う必要がある場合であり、また例えば、ニューラジオＮＲサイドリンクによって受信操作を行う必要があるとともに、Ｕｕインターフェースによって送信操作を行う必要がある場合であり、さらに例えば、ニューラジオＮＲサイドリンクによって送信操作を行う必要があるとともに、Ｕｕインターフェースによって受信操作を行う必要がある場合である。
上記いずれの場合にも、送受信衝突が発生する可能性があるが、それらに限られない。
【００２５】
２、異なるインターフェース間での送信操作に衝突が発生する。
端末にとって、その送信パワーは、一定の制限を受ける。それとともに、異なるインターフェース間で同時に実行される送信操作は、お互いに干渉する。従って、異なるインターフェース間での送信操作にも、衝突が発生する。例えば、同時にニューラジオＮＲサイドリンクとＬＴＥサイドリンクによって送信操作を実行する場合であり、また例えば、同時にニューラジオＮＲサイドリンクとＬＴＥ  Ｕｕインターフェースによって送信操作を実行する場合であり、また例えば、同時にＬＴＥサイドリンクとニューラジオＮＲ  Ｕｕインターフェースによって送信操作を実行する場合である。
【００２６】
また例えば、端末の能力の制限、プロトコルの拘束およびリソース配置等の理由で、端末は、一定数のビームのみで送信操作を行うことができ、送信操作によって要求されるビーム数が上記制限を超えている場合、伝送衝突が発生する。
上記いずれの場合にも、送信衝突が発生する可能性があるが、それらに限られない。
【００２７】
３、異なるインターフェース間での受信に衝突が発生する。
端末の能力の制限、プロトコルの拘束およびリソース配置等の理由で、異なるインターフェース間で同時に行われる受信操作にも、衝突が発生する可能性がある。例えば、ユーザ端末ＵＥは、一定数の周波数ポイントのみで受信操作を行うことができ、受信操作に対応する周波数ポイント数が上記制限を超えている場合、伝送衝突が発生する。
【００２８】
また例えば、端末の能力の制限、プロトコルの拘束およびリソース配置等の理由で、端末は、一定数のビームのみで受信操作を行うことができ、受信操作によって要求されるビーム数が上記制限を超えている場合、伝送衝突が発生する。
【００２９】
もちろん、以上は、伝送衝突が発生する可能性がある状況／シナリオに対する例示的な説明に過ぎず、本開示の具体的な実施例は、伝送衝突の原因を制限するものではない。
【００３０】
図１は、本開示の実施例による伝送処理方法のフローチャートであり、当該伝送処理方法は、端末に用いられる。図１に示すように、前記方法は、以下のステップを含む。
【００３１】
ステップ１０１：第一の伝送と第二の伝送に衝突が発生した場合、衝突処理ポリシーに基づき、前記第一の伝送と第二の伝送に対して衝突処理を行う。
【００３２】
前記第一の伝送と第二の伝送のうちの少なくとも一つは、サイドリンクによる伝送であり、且つ前記第一の伝送と前記第二の伝送の伝送モードが異なる。
【００３３】
上記第一の伝送と第二の伝送は、以上で説明されたが、第一の方面では、第一の伝送と第二の伝送の伝送モードが異なり、第二の方面では、第一の伝送と第二の伝送のうちの少なくとも一方は、サイドリンクによる伝送であり、それは、ＬＴＥサイドリンクによる伝送であってもよく、ニューラジオＮＲサイドリンクによる伝送であってもよく、ひいては、将来の他の通信システムによってサポートされるサイドリンクによる伝送であってもよい。他方は、サイドリンクによる伝送であってもよく、Ｕｕインターフェースによる伝送であってもよい。
【００３４】
本開示の具体的な実施例において、上記衝突処理ポリシーは、プロトコルによって予め定義されたもの、または予め配置されたもの、または制御ノードによって配置されたものであってもよく、この伝送衝突ポリシーは、上記伝送衝突が存在している場合、どのように処理するかをユーザ端末ＵＥへ指示するために用いられる。例えば、ユーザ端末ＵＥがニューラジオＮＲサイドリンクに基づき、データを送信する必要があるとともに、ＬＴＥサイドリンクに基づき、データを受信する必要がある場合、前記衝突処理ポリシーは、この送受信衝突をどのように処理するかをユーザ端末ＵＥへ指導するための解決方案を提供することができる。具体的な伝送衝突ポリシーは、ＬＴＥデータに基づく正常な送受信を確保して、ニューラジオＮＲデータに基づく送受信を廃棄するか、またはニューラジオＮＲデータに基づく送信パワーを低減させることであってもよい。上記方式によって、ユーザ端末ＵＥは、ＬＴＥサイドリンクに基づくデータを受信するとともに、ニューラジオＮＲサイドリンクに基づくデータの送信を放棄するか、またはニューラジオＮＲサイドリンクに基づくデータの送信パワーを低減させる。
【００３５】
前にも記述されたが、第一の伝送と第二の伝送のうちの少なくとも一方は、サイドリンクによる伝送であり、それは、ＬＴＥサイドリンクによる伝送であってもよく、ニューラジオＮＲサイドリンクによる伝送であってもよい。ニューラジオＮＲシステムは、今後しばらくの間に急速に成長し、且つ主流の通信システムになることを考慮して、本開示の具体的な実施例において、さらに、そのうちの一方がニューラジオＮＲサイドリンクによる伝送であることに対して、衝突処理ポリシーの設定および利用を行うことができる。
【００３６】
つまり、本開示の具体的な実施例において、前記サイドリンクは、ニューラジオＮＲサイドリンクであってもよい。つまり、前記第一の伝送と第二の伝送のうちの少なくとも一方は、ニューラジオＮＲサイドリンクによる伝送であり、前記第一の伝送と第二の伝送のうちの他方は、ニューラジオＮＲのＵｕインターフェースによる伝送であってもよく、ＬＴＥのサイドリンクによる伝送、またはＬＴＥのＵｕインターフェースによる伝送であってもよい。
【００３７】
ユーザ端末ＵＥが前記第一の伝送と第二の伝送を行い、且つそのうちの一つがニューラジオＮＲサイドリンクによる伝送である場合、前記第一の伝送と前記第二の伝送には、伝送モードが異なるため、衝突が存在している。この場合、前記衝突処理ポリシーに基づき、前記第一の伝送と前記第二の伝送に対して衝突処理を行うことができる。例えば、そのうちのあるネットワークまたはインターフェースによるデータの送受信を優先的に確保するか、またはＱｏＳ指示における優先度が高いデータの送受信を優先的に確保するか、さらに、または何らかの特定のタイプのサービスデータの送受信を優先的に確保することなどである。
【００３８】
従って、端末がニューラジオＮＲサイドリンクによるデータ伝送中に送受信衝突にあった場合、予め定義された衝突処理ポリシーを採用して、衝突処理を行うことができ、それによって、マルチモード端末のデータ伝送中に存在している送受信衝突の問題を迅速に解決することができる。
【００３９】
本開示の具体的な実施例において、前記衝突処理ポリシーは、異なるシナリオ、異なるサービスタイプなどに基づき、設計を行うことができる。例えば、前記衝突処理ポリシーは、
インターフェースタイプパラメータ、サービス品質ＱｏＳパラメータ、サービスタイプ、チャネルタイプパラメータ、信号タイプパラメータ、伝送リソース周波数パラメータ、リソースプール優先度パラメータ、リソースパターン優先度パラメータ、データ伝送タイプパラメータ、リソース割り当てモード、リソース割り当て対象パラメータ、伝送パラメータと衝突重み付け値とのマッピング関係、および端末能力パラメータ、のうちの少なくとも一つに関連することができる。
【００４０】
それぞれの説明は、以下の通りである。
【００４１】
前記衝突処理ポリシーは、インターフェースタイプパラメータに関連してもよく、すなわち、前記第一の伝送と前記第二の伝送のインターフェースタイプに基づき、どちらの伝送を放棄するか、またはどちらの伝送の送信パワーを低減させるかなどを決定することができる。例えば、前記第一の伝送と第二の伝送のインターフェースタイプが異なる（例えば、前記第一の伝送と前記第二の伝送のインターフェースタイプが、それぞれニューラジオＮＲに基づくサイドリンク／ＵｕインターフェースおよびＬＴＥに基づくサイドリンク／Ｕｕインターフェースであるか、またはそれぞれニューラジオＮＲに基づくサイドリンクインターフェースおよびニューラジオＮＲに基づくＵｕインターフェースである）場合、第一のターゲット伝送を廃棄するか、または前記第一のターゲット伝送の送信パワーを低減させる。前記第一のターゲット伝送は、前記第一の伝送と第二の伝送のうち、インターフェースタイプパラメータに基づいて決定される伝送である。
【００４２】
そのうち、いくつかのより具体的なポリシーは以下のとおりである。
【００４３】
前記第一の伝送と第二の伝送のうちの一方がサイドリンクによる伝送であり、他方がＵｕインターフェースによる伝送である場合、前記第一のターゲット伝送は、サイドリンクによる伝送であってもよく、つまり、Ｕｕインターフェースによる伝送を優先的に確保する。
【００４４】
または、前記第一の伝送と第二の伝送のうちの一方がＬＴＥによる伝送であり、他方がニューラジオＮＲによる伝送である場合、前記第一のターゲット伝送は、ニューラジオＮＲによる伝送である。つまり、ＬＴＥによる伝送を優先的に確保する。
【００４５】
従って、前記第一の伝送と第二の伝送のうち、サイドリンクまたはニューラジオＮＲによる伝送は、廃棄されるか、または送信パワーが低減されるが、前記第一の伝送と第二の伝送のうち、ＵｕインターフェースまたはＬＴＥによる伝送は、正常に行われる。それによって、端末が最も基本的なデータ伝送を優先的に行うことを確保する。
【００４６】
もちろん、上記ポリシーは、逆のポリシーを採用してもよく、それは、実際のサービスの需要やユーザの需要などに応じて相応な設定を行うことができる。
【００４７】
前記衝突処理ポリシーはさらに、ＱｏＳパラメータに関連してもよく、すなわち、伝送に対応するＱｏＳパラメータ（例えば、時間遅延パラメータ、優先度パラメータなど）に基づき、どちらの伝送を放棄するか、またはどちらの伝送の送信パワーを低減させるかなどを決定することができる。
【００４８】
例えば、前記第一の伝送と第二の伝送に対応するＱｏＳ指標が異なる（例えば、前記第一の伝送に対応するＱｏＳ指標が、伝送されるデータの優先度が比較的高いか、または時間遅延が比較的低いことを指示するが、前記第二の伝送に対応するＱｏＳ指標が、伝送されるデータの優先度が比較的低いか、または時間遅延が比較的高いことを指示する）場合、第二のターゲット伝送を廃棄するか、または前記第二のターゲット伝送の送信パワーを低減させてもよい。そのうち、前記第二のターゲット伝送は、前記第一の伝送と第二の伝送のうち、対応する優先度が比較的低いか、または時間遅延指標が比較的高い伝送である。
【００４９】
従って、前記第一の伝送と第二の伝送のうち、伝送されるデータの優先度が比較的低いか、または時間遅延指標が比較的高い伝送は、廃棄されるか、または送信パワーが低減されるが、前記第一の伝送と第二の伝送のうち、伝送されるデータの優先度が高いか、または時間遅延指標が低い伝送は、正常に行われる。それによって、衝突が存在している二つの伝送において、優先度が高いデータの伝送を優先的に確保するか、または時間遅延が低いデータの伝送を優先的に確保することができる。
【００５０】
前記衝突処理ポリシーはさらに、サービスタイプに関連してもよく、すなわち、第一の伝送と第二の伝送によって伝送されるデータに対応するサービスタイプに基づき、どちらの伝送を放棄するか、またはどちらの伝送の送信パワーを低減させるかなどを決定することができる。例えば、前記第一の伝送と第二の伝送に対応するサービスタイプが異なる場合、第三のターゲット伝送を廃棄するか、または前記第三のターゲット伝送の送信パワーを低減させてもよい。前記第三のターゲット伝送は、前記第一の伝送と第二の伝送のうち、対応するサービスタイプの優先度が比較的高い伝送、または、前記第一の伝送と第二の伝送のうち、対応するサービスタイプが予め設定されたサービスタイプに属さない伝送である。
【００５１】
このような方式で、異なるサービスタイプの優先度を予め定義するか、または何らかの特別なタイプのサービスを予め設定してもよい。例えば、基本的なセキュリティタイプのサービスの優先度が比較的高いことを予め定義するか、または基本的なセキュリティタイプが予め設定されたサービスタイプである。それによって、基本的なセキュリティタイプのサービスデータが優先的に伝送されることを確保する。例えば、端末と自動車の車載端末との通信接続を確立し、端末が車載端末に安全運転タイプの情報を送信する必要があるとともに、別の端末からの着信に応答する必要がある場合、着信に応答することを放棄し、車載端末に安全運転タイプの情報を優先的に送信することにより、ユーザの走行安全を確保することができる。
【００５２】
例えば、前記第一の伝送が、ＬＴＥサイドリンクに基づき送信される安全運転メッセージまたはパブリックセキュリティ事務メッセージ（例えば、火災、地震などの災害が発生した場所の情報）であり、前記第二の伝送が、ニューラジオＮＲ  Ｕｕインターフェースに基づき送信される道路状況メッセージ（例えば、道路渋滞などのメッセージ）またはパブリックセキュリティ事務である場合、相対的に言えば、リアルタイムの安全運転メッセージまたはパブリックセキュリティ事務メッセージはより重要であるため、衝突処理ポリシーに基づき、端末が前記第一の伝送と前記第二の伝送を同時に行う必要がある場合、ニューラジオＮＲサイドリンクに基づく道路状況メッセージの送信を廃棄するが、ＬＴＥサイドリンクに基づく安全運転メッセージまたはパブリックセキュリティ事務メッセージの送信を確保する。
【００５３】
上記方式によって、前記第一の伝送と第二の伝送のうち、対応するサービスタイプの優先度が比較的低いか、または予め設定されたサービスタイプに属さない伝送は、廃棄されるか、または送信パワーが低減されるが、前記第一の伝送と第二の伝送のうち、対応するサービスタイプの優先度が比較的高いか、または予め設定されたサービスタイプに属する伝送は、正常に行われる。それによって、端末が何らかの特定のサービスタイプのデータ伝送を優先的に行うことを確保する。
【００５４】
前記衝突処理ポリシーはさらに、チャネルタイプパラメータまたは信号タイプパラメータに関連してもよく、すなわち、前記第一の伝送と前記第二の伝送のチャネルタイプまたは信号タイプに基づき、どちらの伝送を放棄するか、またはどちらの伝送の送信パワーを低減させるかなどを決定することができる。例えば、前記第一の伝送と第二の伝送に対応するチャネルタイプまたは信号タイプが異なる（例えば、前記第一の伝送によって伝送されるのが、何らかの特定のタイプのチャネルまたは信号のデータであるが、前記第二の伝送によって伝送されるのが、他のタイプのチャネルまたは信号のデータである）場合、第四のターゲット伝送を廃棄するか、または前記第四のターゲット伝送の送信パワーを低減させてもよい。前記第四のターゲット伝送は、前記第一の伝送と第二の伝送のうち、対応するチャネルタイプまたは信号タイプの優先度が比較的高い伝送、または、前記第一の伝送と第二の伝送のうち、対応するチャネルタイプまたは信号タイプが予め設定されたタイプに属さない伝送である。
【００５５】
そのうち、端末は、異なるチャネルタイプまたは信号タイプの優先度を予め定義するか、または何らかの特別なタイプのチャネルまたは信号を予め設定してもよい。例えば、ランダムアクセスチャネル（Ｒａｎｄｏｍ  Ａｃｃｅｓｓ  Ｃｈａｎｎｅｌ、ＲＡＣＨ）、物理的サイドリンク制御チャネル（Ｐｈｙｓｉｃａｌ  Ｓｉｄｅｌｉｎｋ  Ｃｏｎｔｒｏｌ  Ｃｈａｎｎｅｌ、ＰＳＣＣＨ）、および物理的サイドリンク共有チャネル（Ｐｈｙｓｉｃａｌ  Ｓｉｄｅｌｉｎｋ  Ｓｈａｒｅｄ  Ｃｈａｎｎｅｌ、ＰＳＳＣＨ）の優先度が比較的高く、チャネル状態情報（Ｃｈａｎｎｅｌ  Ｓｔａｔｅ  Ｉｎｆｏｒｍａｔｉｏｎ、ＣＳＩ）フィードバック、物理的サイドリンクブロードキャストチャネル（Ｐｈｙｓｉｃａｌ  Ｓｉｄｅｌｉｎｋ  Ｂｒｏａｄｃａｓｔ  Ｃｈａｎｎｅｌ、ＰＳＢＣＨ）の優先度が比較的低いこと予め定義するか、またはＲＡＣＨ、ＰＳＣＣＨおよびＰＳＳＣＨチャネルが予め設定されたチャネルタイプである。それによって、ＲＡＣＨ、ＰＳＣＣＨおよびＰＳＳＣＨチャネルのデータが優先的に伝送されることを確保する。
【００５６】
従って、前記第一の伝送と第二の伝送のうち、チャネルタイプまたは信号タイプの優先度が比較的低いか、または予め設定されたチャネルタイプまたは信号タイプに属さない伝送は、廃棄されるか、または送信パワーが低減されるが、前記第一の伝送と第二の伝送のうち、チャネルタイプまたは信号タイプの優先度が比較的高いか、または予め設定されたチャネルタイプまたは信号タイプに属する伝送は、正常に行われる。それによって、端末が何らかの特定のチャネルタイプまたは信号タイプのデータ伝送を優先的に行うことを確保する。
【００５７】
前記衝突処理ポリシーはさらに、伝送リソース周波数パラメータに関連してもよい。例えば、前記第一の伝送と第二の伝送に対応する伝送リソースの周波数パラメータが異なる（例えば、前記第一の伝送に対応する伝送リソースの周波数が、インテリジェント交通システム（Ｉｎｔｅｌｌｉｇｅｎｔ  Ｔｒａｎｓｐｏｒｔ  Ｓｙｓｔｅｍ、ＩＴＳ）周波数帯域のような、ある特定の周波数帯域または周波数ポイントであるが、前記第二の伝送に対応する伝送リソースの周波数が、他の周波数帯域または周波数ポイントである）場合、第五のターゲット伝送を廃棄するか、または前記第五のターゲット伝送の送信パワーを低減させてもよい。前記第五のターゲット伝送は、前記第一の伝送と第二の伝送のうち、対応する伝送リソースの周波数パラメータの優先度が比較的高い伝送、または、前記第一の伝送と第二の伝送のうち、対応する伝送リソースの周波数パラメータが予め設定された周波数パラメータに属さない伝送である。
【００５８】
そのうち、端末は、異なる周波数パラメータの優先度を予め定義するか、または何らかの特別な周波数帯域または周波数ポイントを予め設定してもよい。例えば、ＩＴＳ周波数帯域の優先度が比較的高いことを予め定義するか、またはＩＴＳ周波数帯域が予め設定された周波数パラメータである。例えば、車載端末は、ある周波数帯域のラジオ信号の受信中に、ＩＴＳ周波数帯域からのトラフィックアナウンス情報リクエストを受信した場合、ラジオ信号の受信を一時的に停止するが、ＩＴＳ周波数帯域のトラフィックアナウンス情報を優先的に受信してもよい。
【００５９】
従って、前記第一の伝送と第二の伝送のうち、対応する伝送リソースの周波数パラメータの優先度が比較的低いか、または予め設定された周波数パラメータに属さない伝送は、廃棄されるか、または送信パワーが低減されるが、前記第一の伝送と第二の伝送のうち、対応する伝送リソースの周波数パラメータの優先度が比較的高いか、または予め設定された周波数パラメータに属する伝送は、正常に行われる。それによって、端末が何らかの特定の周波数パラメータのデータ伝送を優先的に行うことを確保する。
【００６０】
前記衝突処理ポリシーはさらに、リソースプール優先度パラメータまたはリソースパターン優先度パラメータに関連してもよく、すなわち、前記第一の伝送と前記第二の伝送のリソースプール優先度パラメータまたはリソースパターン優先度パラメータに基づき、どちらの伝送を放棄するか、またはどちらの伝送の送信パワーを低減させるかなどを決定することができる。例えば、前記第一の伝送と第二の伝送に対応する伝送リソースプールまたは伝送リソースパターンが異なる（例えば、前記第一の伝送が、第一の伝送リソースプールまたは第一の伝送リソースパターンに対応するが、前記第二の伝送が、第二の伝送リソースプールまたは第二の伝送リソースパターンに対応する）場合、第六のターゲット伝送を廃棄するか、または前記第六のターゲット伝送の送信パワーを低減させてもよい。前記第六のターゲット伝送は、前記第一の伝送と第二の伝送のうち、対応する伝送リソースプールまたは伝送リソースパターンの優先度が比較的高い伝送、または、前記第一の伝送と第二の伝送のうち、対応する伝送リソースプールまたは伝送リソースパターンが予め設定された伝送リソースプールまたは伝送リソースパターンに属さない伝送である。
【００６１】
そのうち、端末は、異なる伝送リソースプールまたは伝送リソースパターンの優先度を予め定義するか、または何らかの特別な伝送リソースプールまたは伝送リソースパターンを予め設定してもよい。
【００６２】
従って、前記第一の伝送と第二の伝送のうち、対応する伝送リソースプールまたは伝送リソースパターンの優先度が比較的低いか、または予め設定された伝送リソースプールまたは伝送リソースパターンに属さない伝送は、廃棄されるか、または送信パワーが低減されるが、前記第一の伝送と第二の伝送のうち、対応する伝送リソースプールまたは伝送リソースパターンの優先度が比較的高いか、または予め設定された伝送リソースプールまたは伝送リソースパターンに属する伝送は、正常に行われる。それによって、端末が何らかの特定の伝送リソースプールまたは伝送リソースパターンのデータ伝送を優先的に行うことを確保する。
【００６３】
前記衝突処理ポリシーはさらに、データ伝送タイプパラメータに関連してもよく、すなわち、前記第一の伝送と前記第二の伝送のデータ伝送タイプに基づき、どちらの伝送を放棄するか、またはどちらの伝送の送信パワーを低減させるかなどを決定することができる。例えば、前記第一の伝送と第二の伝送に対応するデータ伝送タイプが異なる（例えば、前記第一の伝送に対応するデータ伝送タイプが、ユニキャストまたはグループキャストタイプであるが、前記第二の伝送に対応するデータ伝送タイプが、ブロードキャストタイプである）場合、第七のターゲット伝送を廃棄するか、または前記第七のターゲット伝送の送信パワーを低減させてもよい。前記第七のターゲット伝送は、前記第一の伝送と第二の伝送のうち、対応するデータ伝送タイプの優先度が比較的高い伝送、または、前記第一の伝送と第二の伝送のうち、対応するデータ伝送タイプが予め設定されたデータ伝送タイプに属さない伝送である。
【００６４】
そのうち、端末は、異なるデータ伝送タイプの優先度を予め定義するか、または何らかの特別なデータ伝送タイプを予め設定してもよい。例えば、ユニキャストまたはグループキャストタイプの優先度が比較的高く、ブロードキャストタイプの優先度が比較的低いことを予め定義するか、またはユニキャストまたはグループキャストタイプが予め設定されたデータ伝送タイプである。例えば、端末は、ラジオ放送信号の受信中に、音声通話リクエストまたはビデオ通話リクエストを受信した場合、ラジオ放送信号の受信を一時的に停止するが、音声通話リクエストまたはビデオ通話リクエストを優先的に受信することにより、音声通話またはビデオ通話の正常な進行を確保することができる。
【００６５】
従って、前記第一の伝送と第二の伝送のうち、対応するデータ伝送タイプの優先度が比較的低いか、または予め設定されたデータ伝送タイプに属さない伝送は、廃棄されるか、または送信パワーが低減されるが、前記第一の伝送と第二の伝送のうち、対応するデータ伝送タイプの優先度が比較的高いか、または予め設定されたデータ伝送タイプに属する伝送は、正常に行われる。それによって、端末が何らかの特定のデータ伝送タイプのデータ伝送を優先的に行うことを確保する。
【００６６】
前記衝突処理ポリシーはさらに、リソース割り当てモードパラメータまたはリソース割り当て対象パラメータに関連してもよく、すなわち、前記第一の伝送と前記第二の伝送のリソース割り当てモードまたはリソース割り当て対象に基づき、どちらの伝送を放棄するか、またはどちらの伝送の送信パワーを低減させるかなどを決定することができる。
【００６７】
例えば、前記第一の伝送と第二の伝送に対応するリソース割り当て対象が異なる（例えば、前記第一の伝送に対応するリソース割り当て対象が制御ノードであるが、前記第二の伝送に対応するリソース割り当て対象が端末自体である）場合、第八のターゲット伝送を廃棄するか、または前記第八のターゲット伝送の送信パワーを低減させてもよい。前記第八のターゲット伝送は、前記第一の伝送と第二の伝送のうち、対応するリソース割り当て対象の優先度が比較的高い伝送、または、前記第一の伝送と第二の伝送のうち、対応するリソース割り当て対象が予め設定されたリソース割り当て対象に属さない伝送である。そのうち、端末は、異なるリソース割り当て対象の優先度を予め定義するか、または何らかの特別なリソース割り当て対象を予め設定してもよい。
【００６８】
または、前記第一の伝送と第二の伝送に対応するリソース割り当てモードが異なる（例えば、前記第一の伝送に対応するリソース割り当てモードがスケジューリングリソース割り当てモードであるが、前記第二の伝送に対応するリソース割り当てモードが自発リソース選択モードである）場合、第九のターゲット伝送を廃棄するか、または前記第九のターゲット伝送の送信パワーを低減させてもよい。前記第九のターゲット伝送は、前記第一の伝送と第二の伝送のうち、対応するリソース割り当てモードの優先度が比較的高い伝送、または、前記第一の伝送と第二の伝送のうち、対応するリソース割り当てモードが予め設定されたリソース割り当てモードに属さない伝送である。
【００６９】
そのうち、端末は、異なるリソース割り当てモードの優先度を予め定義するか、または特別なリソース割り当てモードを予め設定してもよい。例えば、スケジューリングリソース割り当てモードの優先度が比較的高く、自発リソース選択モードの優先度が比較的低いことを予め定義するか、またはスケジューリングリソース割り当てモードが予め設定されたリソース割り当てモードである。
【００７０】
従って、前記第一の伝送と第二の伝送のうち、対応するリソース割り当て対象またはリソース割り当てモードの優先度が比較的低いか、または予め設定されたリソース割り当て対象またはリソース割り当てモードに属さない伝送は、廃棄されるか、または送信パワーが低減されるが、前記第一の伝送と第二の伝送のうち、対応するリソース割り当て対象またはリソース割り当てモードの優先度が比較的高いか、または予め設定されたリソース割り当て対象または予め設定されたリソース割り当てモードに属する伝送は、正常に行われる。それによって、端末が何らかの特定のリソース割り当て対象またはリソース割り当てモードのデータ伝送を優先的に行うことを確保する。
【００７１】
前記衝突処理ポリシーはさらに、伝送パラメータと衝突重み付け値とのマッピング関係に関連してもよく、具体的には、予め配置されたルールによって、異なるインターフェースまたは異なるサービスタイプに基づくデータに対して、異なる衝突重み付け値を割り当てることにより、伝送パラメータと衝突重み付け値とのマッピング関係を確立し、次に、前記第一の伝送と前記第二の伝送にそれぞれ対応する衝突重み付け値の大きさを比較することにより、どの組のデータの送受信を優先的に確保するか、及びどの組のデータを廃棄するかを決定する。例えば、前記衝突処理ポリシーは、伝送パラメータと衝突重み付け値とのマッピング関係に基づき、前記第一の伝送と第二の伝送のそれぞれの衝突重み付け値を計算し、前記衝突重み付け値によって、前記第一の伝送と第二の伝送から、第十のターゲット伝送を決定し且つ廃棄するか、または前記第十のターゲット伝送の送信パワーを低減させてもよい。そのうち、前記第十のターゲット伝送は、前記第一の伝送と前記第二の伝送のうち、衝突重み付け値が比較的大きいか、または比較的小さい伝送であってもよい。伝送パラメータと衝突重み付け値とのマッピング関係は、予め定義されたものであってもよい。前記マッピング関係によって、前記第一の伝送と第二の伝送のそれぞれの衝突重み付け値を計算することができる。
【００７２】
前記衝突処理ポリシーはさらに、端末能力パラメータに関連してもよく、すなわち、前記第一の伝送と前記第二の伝送によって要求される端末能力パラメータ、または端末自体の能力パラメータに基づき、どちらの伝送を放棄するか、またはどちらの伝送の送信パワーを低減させるかなどを決定することができる。例えば、端末または制御ノードによって端末能力パラメータ（例えば、アンテナ数、ある特定の能力をサポートするか否かなど）に基づき複数の衝突処理ポリシーの中から選択された、端末能力パラメータに合わせるポリシーである。また例えば、第一の伝送と第二の伝送のうち、対応する能力要求情報が異なる場合、能力要求が高いか、または能力要求が低い伝送を廃棄してもよい。そのうち、説明すべきことは、前記第一のターゲット伝送から前記第十のターゲット伝送は、いずれもデータの受信とデータの送信を含むことである。
【００７３】
従って、この実施形態において、異なるシナリオ、異なるサービスタイプの状況で、前記衝突処理ポリシーは、上記異なるパラメータに関連することができる。それにより、異なる伝送衝突シナリオは、異なる衝突処理ポリシーに対応することができ、さらに、端末は、実際の伝送状況に応じて、そのうちの一つまたは複数の衝突処理ポリシーを選択して、前記第一の伝送と前記第二の伝送に発生した衝突を処理することができる。
【００７４】
本開示の具体的な実施例において、前記衝突処理ポリシーは、プロトコルによって予め定義されたポリシー、予め配置されたポリシー、または制御ノードによって配置されたポリシーであってもよい。
【００７５】
前記衝突処理ポリシーは、プロトコルによって予め定義されたものであってもよい。例えば、端末によって採用される通信プロトコルは、データ伝送における送受信衝突をどのように処理するかを予め定義した。前記衝突処理ポリシーは、予め配置されたものであってもよい。例えば、メーカーまたは事業者は、端末に対してデータ伝送における送受信衝突をどのように処理するかを予め配置した。前記衝突処理ポリシーはさらに、制御ノードによって配置されたものであってもよい。例えば、異なる伝送ノード間に異なる衝突処理ポリシーが配置されている。それによって、端末は、前記第一の伝送と前記第二の伝送が位置する制御ノードに基づき、相応な衝突処理ポリシーを決定することができる。
【００７６】
前記衝突処理ポリシーが制御ノードによって配置される場合、端末は、制御ノードによって送信される衝突処理ポリシーを受信するステップをさらに含む。
【００７７】
従って、この実施形態において、端末は、プロトコルによって予め定義された衝突処理ポリシー、予め配置された衝突処理ポリシー、または制御ノードによって配置された衝突処理ポリシーに基づき、前記第一の伝送と第二の伝送に対して衝突処理を行うことができる。
【００７８】
選択的に、前記衝突処理ポリシーの有効化条件は、プロトコルによって予め定義されたトリガ条件、予め配置された有効化条件、または制御ノードによって配置された有効化条件である。
【００７９】
本開示の具体的な実施例における有効化条件は、個別衝突処理ポリシーに対して、それぞれ有効化条件を配置してもよく（例えば、有効化条件は、端末能力に関連することができる）、一組の衝突処理ポリシーに対して、有効化条件を配置してもよい。この場合、この有効化条件は、一組の衝突処理ポリシーの中から一つを選択して決定を行う。
【００８０】
複数の異なる衝突処理ポリシーが存在している場合、一組の衝突処理ポリシーに対して、有効化条件を配置することは、現在で前記第一の伝送と第二の伝送に対して衝突処理を行う根拠として、そのうちのある一つのポリシーをどのように選択するかという問題を解決することができる。
【００８１】
そのうち、前記衝突処理ポリシーの有効化条件は、プロトコルによって予め定義されたトリガ条件であってもよい。例えば、端末によって採用される通信プロトコルは、前記衝突処理ポリシーの有効化条件を予め定義した。前記衝突処理ポリシーの有効化条件は、予め配置された有効化条件であってもよい。例えば、メーカーまたは事業者は、端末に対してデータ伝送における衝突をどのように処理するかを予め配置した。前記衝突処理ポリシーの有効化条件は、制御ノードによって配置された有効化条件であってもよい。例えば、異なる伝送ノード間に異なる衝突処理ポリシー有効化条件が配置されている。それによって、端末は、前記第一の伝送と前記第二の伝送が位置する制御ノードに基づき、有効化される衝突処理ポリシーを決定することができる。
【００８２】
具体的には、端末が複数の衝突処理ポリシーを予め定義または配置した場合、この複数の衝突処理ポリシーに対して、それぞれ異なる有効化条件を設定することができ、それによって、異なるデータ伝送シナリオにおいて異なる衝突処理ポリシーを使用することができる。例えば、複数の衝突処理ポリシーに対して異なる優先度を設定してもよい。異なる衝突処理ポリシーを採用して前記第一の伝送と前記第二の伝送に対して衝突処理を行った後に決定された結果が異なる場合、優先度が比較的高い衝突処理ポリシーによって決定された結果に基づき、処理を行ってもよく、または直接に、優先度が比較的高い衝突処理ポリシーに基づき、前記第一の伝送と前記第二の伝送に対して衝突処理を行ってもよい。
【００８３】
従って、この実施形態において、プロトコルによって予め定義されたトリガ条件、予め配置された有効化条件、または制御ノードによって配置された有効化条件に基づき、前記衝突処理ポリシーの有効化条件を決定することができ、さらに、有効化される衝突処理ポリシーに基づき、前記第一の伝送と第二の伝送に対して衝突処理を行うことができる。
【００８４】
選択的に、前記衝突処理ポリシーは、衝突処理操作を含み、前記衝突処理操作は、受信操作の放棄、送信操作の放棄、および送信パワーの低減、のうちの少なくとも一つを含む。
【００８５】
前記衝突処理ポリシーは、衝突処理操作を含み、前記衝突処理操作は、受信操作の放棄、送信操作の放棄、および送信パワーの低減、のうちの少なくとも一つを含む。例えば、前記衝突処理操作は、受信操作の放棄、送信操作の放棄、または送信パワーの低減であってもよく、受信操作の放棄、および送信パワーの低減などであってもよい。
【００８６】
例えば、前記第一の伝送がデータ受信モードであり、前記第二の伝送がデータ送信モードである場合、前記衝突処理ポリシーに含まれる衝突処理操作が、送信操作の放棄、または送信パワーの低減であれば、前記第一の伝送を保持して前記第二の伝送を放棄するか、または前記第二の伝送のデータの送信パワーを低減させてもよい。前記衝突処理ポリシーに含まれる衝突処理操作が、受信操作の放棄、および送信パワーの低減であれば、前記第一の伝送を放棄し、且つ前記第二の伝送のデータの送信パワーを低減させてもよい。
【００８７】
従って、この実施形態において、受信操作の放棄、送信操作の放棄、および送信パワーの低減等のうちの少なくとも一つを採用して、端末が前記第一の伝送と前記第二の伝送を同時に行うとき発生した送受信衝突またはパワー制限等の問題を解決することができる。
【００８８】
本開示の実施例において、上記端末は、記憶媒体を備える任意の機器であってもよく、例えばコンピュータ（Ｃｏｍｐｕｔｅｒ）、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナル・デジタル・アシスタント（ｐｅｒｓｏｎａｌ  ｄｉｇｉｔａｌ  ａｓｓｉｓｔａｎｔ、ＰＤＡと略称される）、モバイル・インターネット・デバイス（Ｍｏｂｉｌｅ  Ｉｎｔｅｒｎｅｔ  Ｄｅｖｉｃｅ、ＭＩＤ）またはウェアラブルデバイス（Ｗｅａｒａｂｌｅ  Ｄｅｖｉｃｅ）などの端末機器である。
【００８９】
本実施例における伝送処理方法によれば、端末は、複数組の異なる伝送モードのデータ伝送において、衝突処理ポリシーに基づき、データ伝送における衝突を処理することができ、それによって、マルチモードデータ伝送における送受信衝突、パワー制限および干渉等の問題を解決することができる。
【００９０】
図２は、本開示の実施例による別の伝送処理方法のフローチャートであり、当該伝送処理方法は、制御ノードに用いられる。図２に示すように、前記方法は、以下のステップを含む。
【００９１】
ステップ２０１：衝突が発生した第一の伝送と第二の伝送に対して衝突処理を行うための衝突処理ポリシーを送信し、
前記第一の伝送と第二の伝送のうちの少なくとも一つは、サイドリンクによる伝送であり、且つ前記第一の伝送と前記第二の伝送の伝送モードが異なる。
【００９２】
理解すべきことは、本開示の具体的な実施例において、この制御ノードは、ネットワーク側機器であってもよく、ネットワーク全体において制御の役割を果たす端末であってもよいことである。
【００９３】
本実施例において、制御ノードは、衝突処理ポリシーを端末に送信することができ、それによって、端末は、伝送衝突が発生した場合、この衝突処理ポリシーに基づき、衝突処理を行うことができる。そのうち、上記第一の伝送、第二の伝送および衝突処理ポリシーに対する解釈は、図１に示された方法の実施例における関連紹介を参照することができる。説明の重複を回避するために、本実施例では説明を省略する。
【００９４】
選択的に、前記サイドリンクは、ニューラジオＮＲサイドリンクである。
【００９５】
そのうち、上記ニューラジオＮＲサイドリンクに対する解釈は、図１に示された方法の実施例における関連紹介を参照することができる。説明の重複を回避するために、本実施例では説明を省略する。
【００９６】
選択的に、前記衝突処理ポリシーは、
インターフェースタイプパラメータ、ＱｏＳパラメータ、サービスタイプ、チャネルタイプパラメータ、信号タイプパラメータ、伝送リソース周波数パラメータ、リソースプール優先度パラメータ、リソースパターン優先度パラメータ、データ伝送タイプパラメータ、リソース割り当てモード、リソース割り当て対象パラメータ、および伝送パラメータと衝突重み付け値とのマッピング関係、のうちの少なくとも一つに関連する。
【００９７】
そのうち、この実施形態に対する説明は、図１に示された方法の実施例における関連紹介を参照することができる。説明の重複を回避するために、本実施例では説明を省略する。
【００９８】
選択的に、前記伝送処理方法は、
前記衝突処理ポリシーの有効化条件を送信することをさらに含む。
【００９９】
この実施形態では、複数の衝突処理ポリシーが存在している場合、制御ノードはさらに、前記衝突処理ポリシーの有効化条件を端末に送信してもよい。それによって、現在で前記第一の伝送と第二の伝送に対して衝突処理を行う根拠として、複数の衝突処理ポリシーの中から一つのポリシーをどのように選択するかをネゴシエーションする。
【０１００】
そのうち、上記衝突処理ポリシーの有効化条件に対する解釈は、図１に示された方法の実施例における関連紹介を参照することができる。説明の重複を回避するために、本実施例では説明を省略する。
【０１０１】
本実施例における伝送処理方法によれば、制御ノードは、端末と複数組の異なる伝送モードのデータ伝送を行うとき、端末に衝突処理ポリシーを送信することができる。それによって、衝突処理ポリシーに基づき、データ伝送における衝突をどのように処理するかについて、端末とネゴシエーションすることができ、さらに、マルチモードデータ伝送における送受信衝突、パワー制限および干渉等の問題を解決することができる。
【０１０２】
図３は、本開示の実施例による端末の構成模式図である。図３に示すように、端末３００は、
第一の伝送と第二の伝送に衝突が発生した場合、衝突処理ポリシーに基づき、前記第一の伝送と第二の伝送に対して衝突処理を行うための衝突処理モジュール３０１を含み、
前記第一の伝送と第二の伝送のうちの少なくとも一つは、サイドリンクによる伝送であり、且つ前記第一の伝送と前記第二の伝送の伝送モードが異なる。
【０１０３】
選択的に、前記サイドリンクは、ニューラジオＮＲサイドリンクである。
【０１０４】
選択的に、前記衝突処理ポリシーは、
インターフェースタイプパラメータ、ＱｏＳパラメータ、サービスタイプ、チャネルタイプパラメータ、信号タイプパラメータ、伝送リソース周波数パラメータ、リソースプール優先度パラメータ、リソースパターン優先度パラメータ、データ伝送タイプパラメータ、リソース割り当てモード、リソース割り当て対象パラメータ、および伝送パラメータと衝突重み付け値とのマッピング関係、のうちの少なくとも一つに関連する。
【０１０５】
選択的に、前記衝突処理ポリシーは、プロトコルによって予め定義されたポリシー、予め配置されたポリシー、または制御ノードによって配置されたポリシーである。
【０１０６】
選択的に、前記衝突処理ポリシーの有効化条件は、プロトコルによって予め定義されたトリガ条件、または予め配置された有効化条件、または制御ノードによって配置された有効化条件である。
【０１０７】
選択的に、前記衝突処理ポリシーは、衝突処理操作を含み、前記衝突処理操作は、受信操作の放棄、送信操作の放棄、および送信パワーの低減、のうちの少なくとも一つを含む。
【０１０８】
選択的に、前記衝突処理ポリシーは、具体的には、
前記第一の伝送と第二の伝送のインターフェースタイプが異なる場合、前記第一の伝送と第二の伝送のうち、インターフェースタイプパラメータに基づいて決定される伝送である第一のターゲット伝送を廃棄するか、または前記第一のターゲット伝送の送信パワーを低減させること、
前記第一の伝送と第二の伝送に対応するＱｏＳ指標が異なる場合、前記第一の伝送と第二の伝送のうち、対応する優先度が比較的低いか、または時間遅延指標が比較的高い伝送である第二のターゲット伝送を廃棄するか、または前記第二のターゲット伝送の送信パワーを低減させること、
前記第一の伝送と第二の伝送に対応するサービスタイプが異なる場合、前記第一の伝送と第二の伝送のうち、対応するサービスタイプの優先度が比較的高い伝送、または、前記第一の伝送と第二の伝送のうち、対応するサービスタイプが予め設定されたサービスタイプに属さない伝送である第三のターゲット伝送を廃棄するか、または前記第三のターゲット伝送の送信パワーを低減させること、
前記第一の伝送と第二の伝送に対応するチャネルタイプまたは信号タイプが異なる場合、前記第一の伝送と第二の伝送のうち、対応するチャネルタイプまたは信号タイプの優先度が比較的高い伝送、または、前記第一の伝送と第二の伝送のうち、対応するチャネルタイプまたは信号タイプが予め設定されたタイプに属さない伝送である第四のターゲット伝送を廃棄するか、または前記第四のターゲット伝送の送信パワーを低減させること、
前記第一の伝送と第二の伝送に対応する伝送リソースの周波数パラメータが異なる場合、前記第一の伝送と第二の伝送のうち、対応する伝送リソースの周波数パラメータの優先度が比較的高い伝送、または、前記第一の伝送と第二の伝送のうち、対応する伝送リソースの周波数パラメータが予め設定された周波数パラメータに属さない伝送である第五のターゲット伝送を廃棄するか、または前記第五のターゲット伝送の送信パワーを低減させること、
前記第一の伝送と第二の伝送に対応する伝送リソースプールまたは伝送リソースパターンが異なる場合、前記第一の伝送と第二の伝送のうち、対応する伝送リソースプールまたは伝送リソースパターンの優先度が比較的高い伝送、または、前記第一の伝送と第二の伝送のうち、対応する伝送リソースプールまたは伝送リソースパターンが予め設定された伝送リソースプールまたは伝送リソースパターンに属さない伝送である第六のターゲット伝送を廃棄するか、または前記第六のターゲット伝送の送信パワーを低減させること、
前記第一の伝送と第二の伝送に対応するデータ伝送タイプが異なる場合、前記第一の伝送と第二の伝送のうち、対応するデータ伝送タイプの優先度が比較的高い伝送、または、前記第一の伝送と第二の伝送のうち、対応するデータ伝送タイプが予め設定されたデータ伝送タイプに属さない伝送である第七のターゲット伝送を廃棄するか、または前記第七のターゲット伝送の送信パワーを低減させること、
前記第一の伝送と第二の伝送に対応するリソース割り当て対象が異なる場合、前記第一の伝送と第二の伝送のうち、対応するリソース割り当て対象の優先度が比較的高い伝送、または、前記第一の伝送と第二の伝送のうち、対応するリソース割り当て対象が予め設定されたリソース割り当て対象に属さない伝送である第八のターゲット伝送を廃棄するか、または前記第八のターゲット伝送の送信パワーを低減させること、
前記第一の伝送と第二の伝送に対応するリソース割り当てモードが異なる場合、前記第一の伝送と第二の伝送のうち、対応するリソース割り当てモードの優先度が比較的高い伝送、または、前記第一の伝送と第二の伝送のうち、対応するリソース割り当てモードが予め設定されたリソース割り当てモードに属さない伝送である第九のターゲット伝送を廃棄するか、または前記第九のターゲット伝送の送信パワーを低減させること、及び
伝送パラメータと衝突重み付け値とのマッピング関係に基づき、前記第一の伝送と第二の伝送のそれぞれの衝突重み付け値を計算し、前記衝突重み付け値によって、前記第一の伝送と第二の伝送から、第十のターゲット伝送を決定し且つ廃棄するか、または前記第十のターゲット伝送の送信パワーを低減させること、のうちの少なくとも一つである。
【０１０９】
選択的に、前記第一の伝送と第二の伝送のうちの一方がサイドリンクによる伝送であり、他方がＵｕインターフェースによる伝送である場合、前記第一のターゲット伝送は、サイドリンクによる伝送であり、
または
前記第一の伝送と第二の伝送のうちの一方がＬＴＥによる伝送であり、他方がニューラジオＮＲによる伝送である場合、前記第一のターゲット伝送は、ニューラジオＮＲによる伝送である。
【０１１０】
端末３００は、図１の方法の実施例において端末によって実現された各プロセスを実現することができる。説明の重複を回避するために、ここでは説明を省略する。本開示の実施例の端末３００は、複数組の異なる伝送モードのデータ伝送において、衝突処理ポリシーに基づき、データ伝送における衝突を処理することができ、それによって、マルチモードデータ伝送における送受信衝突、パワー制限および干渉等の問題を解決することができる。
【０１１１】
図４は、本開示の実施例による制御ノードの構成模式図である。図４に示すように、制御ノード４００は、
衝突が発生した第一の伝送と第二の伝送に対して衝突処理を行うための衝突処理ポリシーを送信するための第一の送信モジュール４０１を含み、
前記第一の伝送と第二の伝送のうちの少なくとも一つは、サイドリンクによる伝送であり、且つ前記第一の伝送と前記第二の伝送の伝送モードが異なる。
【０１１２】
選択的に、前記サイドリンクは、ニューラジオＮＲサイドリンクである。
【０１１３】
選択的に、前記衝突処理ポリシーは、
インターフェースタイプパラメータ、ＱｏＳパラメータ、サービスタイプ、チャネルタイプパラメータ、信号タイプパラメータ、伝送リソース周波数パラメータ、リソースプール優先度パラメータ、リソースパターン優先度パラメータ、データ伝送タイプパラメータ、リソース割り当てモード、リソース割り当て対象パラメータ、および伝送パラメータと衝突重み付け値とのマッピング関係、のうちの少なくとも一つに関連する。
【０１１４】
選択的に、図５に示すように、制御ノード４００は、
前記衝突処理ポリシーの有効化条件を送信するための第二の送信モジュール４０２をさらに含む。
【０１１５】
制御ノード４００は、図２の方法の実施例において制御ノードによって実現された各プロセスを実現することができる。説明の重複を回避するために、ここでは説明を省略する。本開示の実施例の制御ノード４００は、端末と複数組の異なる伝送モードのデータ伝送を行うとき、端末に衝突処理ポリシーを送信することができる。それによって、衝突処理ポリシーに基づき、データ伝送における衝突をどのように処理するかについて、端末とネゴシエーションすることができ、さらに、マルチモードデータ伝送における送受信衝突、パワー制限および干渉等の問題を解決することができる。
【０１１６】
図６は、本開示の各実施例を実現する端末のハードウェア構成模式図である。この端末６００は、無線周波数ユニット６０１、ネットワークモジュール６０２、オーディオ出力ユニット６０３、入力ユニット６０４、センサ６０５、表示ユニット６０６、ユーザ入力ユニット６０７、インターフェースユニット６０８、メモリ６０９、プロセッサ６１０、及び電源６１１などの部材を含むが、それらに限らない。当業者であれば理解できるように、図６に示す端末構成は、端末に対する限定を構成せず、端末には、図示された部材の数よりも多くまたは少ない部材、または何らかの部材の組み合わせ、または異なる部材の配置が含まれてもよい。本開示の実施例では、端末は、携帯電話、タブレットパソコン、ノートパソコン、パームトップコンピューター、車載端末、ウェアラブルデバイス、及び歩数計などを含むが、それらに限らない。
【０１１７】
そのうち、プロセッサ６１０は、第一の伝送と第二の伝送に衝突が発生した場合、衝突処理ポリシーに基づき、前記第一の伝送と第二の伝送に対して衝突処理を行うために用いられ、
前記第一の伝送と第二の伝送のうちの少なくとも一つは、サイドリンクによる伝送であり、且つ前記第一の伝送と前記第二の伝送の伝送モードが異なる。
【０１１８】
選択的に、前記サイドリンクは、ニューラジオＮＲサイドリンクである。
【０１１９】
選択的に、前記衝突処理ポリシーは、
インターフェースタイプパラメータ、ＱｏＳパラメータ、サービスタイプ、チャネルタイプパラメータ、信号タイプパラメータ、伝送リソース周波数パラメータ、リソースプール優先度パラメータ、リソースパターン優先度パラメータ、データ伝送タイプパラメータ、リソース割り当てモード、リソース割り当て対象パラメータ、および伝送パラメータと衝突重み付け値とのマッピング関係、のうちの少なくとも一つに関連する。
【０１２０】
選択的に、前記衝突処理ポリシーは、プロトコルによって予め定義されたポリシー、予め配置されたポリシー、または制御ノードによって配置されたポリシーである。
【０１２１】
選択的に、前記衝突処理ポリシーの有効化条件は、プロトコルによって予め定義されたトリガ条件、予め配置された有効化条件、または制御ノードによって配置された有効化条件である。
【０１２２】
選択的に、前記衝突処理ポリシーは、衝突処理操作を含み、前記衝突処理操作は、受信操作の放棄、送信操作の放棄、および送信パワーの低減、のうちの少なくとも一つを含む。
【０１２３】
選択的に、前記衝突処理ポリシーは、具体的には、
前記第一の伝送と第二の伝送のインターフェースタイプが異なる場合、前記第一の伝送と第二の伝送のうち、インターフェースタイプパラメータに基づいて決定される伝送である第一のターゲット伝送を廃棄するか、または前記第一のターゲット伝送の送信パワーを低減させること、
前記第一の伝送と第二の伝送に対応するＱｏＳ指標が異なる場合、前記第一の伝送と第二の伝送のうち、対応する優先度が比較的低いか、または時間遅延指標が比較的高い伝送である第二のターゲット伝送を廃棄するか、または前記第二のターゲット伝送の送信パワーを低減させること、
前記第一の伝送と第二の伝送に対応するサービスタイプが異なる場合、前記第一の伝送と第二の伝送のうち、対応するサービスタイプの優先度が比較的高い伝送、または、前記第一の伝送と第二の伝送のうち、対応するサービスタイプが予め設定されたサービスタイプに属さない伝送である第三のターゲット伝送を廃棄するか、または前記第三のターゲット伝送の送信パワーを低減させること、
前記第一の伝送と第二の伝送に対応するチャネルタイプまたは信号タイプが異なる場合、前記第一の伝送と第二の伝送のうち、対応するチャネルタイプまたは信号タイプの優先度が比較的高い伝送、または、前記第一の伝送と第二の伝送のうち、対応するチャネルタイプまたは信号タイプが予め設定されたタイプに属さない伝送である第四のターゲット伝送を廃棄するか、または前記第四のターゲット伝送の送信パワーを低減させること、
前記第一の伝送と第二の伝送に対応する伝送リソースの周波数パラメータが異なる場合、前記第一の伝送と第二の伝送のうち、対応する伝送リソースの周波数パラメータの優先度が比較的高い伝送、または、前記第一の伝送と第二の伝送のうち、対応する伝送リソースの周波数パラメータが予め設定された周波数パラメータに属さない伝送である第五のターゲット伝送を廃棄するか、または前記第五のターゲット伝送の送信パワーを低減させること、
前記第一の伝送と第二の伝送に対応する伝送リソースプールまたは伝送リソースパターンが異なる場合、前記第一の伝送と第二の伝送のうち、対応する伝送リソースプールまたは伝送リソースパターンの優先度が比較的高い伝送、または、前記第一の伝送と第二の伝送のうち、対応する伝送リソースプールまたは伝送リソースパターンが予め設定された伝送リソースプールまたは伝送リソースパターンに属さない伝送である第六のターゲット伝送を廃棄するか、または前記第六のターゲット伝送の送信パワーを低減させること、
前記第一の伝送と第二の伝送に対応するデータ伝送タイプが異なる場合、前記第一の伝送と第二の伝送のうち、対応するデータ伝送タイプの優先度が比較的高い伝送、または、前記第一の伝送と第二の伝送のうち、対応するデータ伝送タイプが予め設定されたデータ伝送タイプに属さない伝送である第七のターゲット伝送を廃棄するか、または前記第七のターゲット伝送の送信パワーを低減させること、
前記第一の伝送と第二の伝送に対応するリソース割り当て対象が異なる場合、前記第一の伝送と第二の伝送のうち、対応するリソース割り当て対象の優先度が比較的高い伝送、または、前記第一の伝送と第二の伝送のうち、対応するリソース割り当て対象が予め設定されたリソース割り当て対象に属さない伝送である第八のターゲット伝送を廃棄するか、または前記第八のターゲット伝送の送信パワーを低減させること、
前記第一の伝送と第二の伝送に対応するリソース割り当てモードが異なる場合、前記第一の伝送と第二の伝送のうち、対応するリソース割り当てモードの優先度が比較的高い伝送、または、前記第一の伝送と第二の伝送のうち、対応するリソース割り当てモードが予め設定されたリソース割り当てモードに属さない伝送である第九のターゲット伝送を廃棄するか、または前記第九のターゲット伝送の送信パワーを低減させること、及び
伝送パラメータと衝突重み付け値とのマッピング関係に基づき、前記第一の伝送と第二の伝送のそれぞれの衝突重み付け値を計算し、前記衝突重み付け値によって、前記第一の伝送と第二の伝送から、第十のターゲット伝送を決定し且つ廃棄するか、または前記第十のターゲット伝送の送信パワーを低減させること、のうちの少なくとも一つである。
【０１２４】
選択的に、前記第一の伝送と第二の伝送のうちの一方がサイドリンクによる伝送であり、他方がＵｕインターフェースによる伝送である場合、前記第一のターゲット伝送は、サイドリンクによる伝送であり、
または
前記第一の伝送と第二の伝送のうちの一方がＬＴＥによる伝送であり、他方がニューラジオＮＲによる伝送である場合、前記第一のターゲット伝送は、ニューラジオＮＲによる伝送である。
【０１２５】
端末６００は、前記実施例において端末によって実現された各プロセスを実現することができる。説明の重複を回避するために、ここでは説明を省略する。本開示の実施例の端末６００は、複数組の異なる伝送モードのデータ伝送において、衝突処理ポリシーに基づき、データ伝送における衝突を処理することができ、それによって、マルチモードデータ伝送における送受信衝突、パワー制限および干渉等の問題を解決することができる。
【０１２６】
理解すべきことは、本開示の実施例では、無線周波数ユニット６０１は、情報の送受信または通話中の信号の送受信に用いられてもよいことである。具体的には、基地局からの下りリンクのデータを受信してから、プロセッサ６１０に処理させてもよい。また、上りリンクのデータを基地局に送信してもよい。一般的には、無線周波数ユニット６０１は、アンテナ、少なくとも一つの増幅器、送受信機、カプラ、低雑音増幅器、デュプレクサなどを含むが、それらに限らない。なお、無線周波数ユニット６０１は、無線通信システムを介してネットワークや他の機器との通信を行ってもよい。
【０１２７】
端末６００は、ネットワークモジュール６０２によってユーザに無線のブロードバンドインターネットアクセスを提供し、例えば、ユーザへ電子メールの送受信、ウェブページの閲覧、ストリーミングメディアへのアクセスなどを支援する。
【０１２８】
オーディオ出力ユニット６０３は、無線周波数ユニット６０１またはネットワークモジュール６０２によって受信されたまたはメモリ６０９に記憶されたオーディオデータをオーディオ信号に変換して、音声として出力することができる。そして、オーディオ出力ユニット６０３はさらに、端末６００によって実行された特定の機能に関連するオーディオ（例えば、呼び信号受信音、メッセージ着信音など）の出力を提供することができる。オーディオ出力ユニット６０３は、スピーカ、ブザー及び受話器などを含む。
【０１２９】
入力ユニット６０４は、オーディオまたはビデオ信号を受信するために用いられる。入力ユニット６０４は、グラフィックスプロセッサ（Ｇｒａｐｈｉｃｓ  Ｐｒｏｃｅｓｓｉｎｇ  Ｕｎｉｔ、ＧＰＵ）６０４１とマイクロホン６０４２を含んでもよく、グラフィックスプロセッサ６０４１は、ビデオキャプチャモードまたは画像キャプチャモードにおいて画像キャプチャ装置（例えば、カメラ）によって得られた静止画像またはビデオの画像データを処理する。処理された画像フレームは、入力ユニット６０６に表示されてもよい。グラフィックスプロセッサ６０４１によって処理された画像フレームは、メモリ６０９（または他の記憶媒体）に記憶されてもよく、または無線周波数ユニット６０１またはネットワークモジュール６０２を介して送信されてもよい。マイクロホン６０４２は、音声を受信することができるとともに、このような音声をオーディオデータとして処理することができる。処理されたオーディオデータは、電話の通話モードにおいて、無線周波数ユニット６０１を介して移動通信基地局に送信することが可能なフォーマットに変換して出力してもよい。
【０１３０】
端末６００はさらに、少なくとも一つのセンサ６０５、例えば、光センサ、運動センサ及び他のセンサを含む。具体的には、光センサは、環境光センサ及び接近センサを含み、そのうち、環境光センサは、環境光の明暗に応じて、表示パネル６０６１の輝度を調整することができ、接近センサは、端末６００が耳元に移動した時、表示パネル６０６１及び／又はバックライトをオフにすることができる。運動センサの一種として、加速度計センサは、各方向（一般的には、三軸であり）における加速度の大きさを検出することができ、静止時、重力の大きさ及び方向を検出することができ、端末の姿勢（例えば、縦横スクリーン切り替え、関連ゲーム、磁力計姿勢校正）識別、振動識別関連機能（例えば、歩数計、タップ）などに用いられてもよい。センサ６０５はさらに、指紋センサ、圧力センサ、虹彩センサ、分子センサ、ジャイロ、気圧計、湿度計、温度計、赤外線センサなどを含んでもよく、ここでは説明を省略する。
【０１３１】
表示ユニット６０６は、ユーザによって入力された情報またはユーザに提供される情報を表示するために用いられている。表示ユニット６０６は、表示パネル６０６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で表示パネル６０６１を配置してもよい。
【０１３２】
ユーザ入力ユニット６０７は、入力された数字または文字情報の受信、端末のユーザによる設置及び機能制御に関するキー信号入力の発生に用いられてもよい。具体的には、ユーザ入力ユニット６０７は、タッチパネル６０７１及び他の入力機器６０７２を含む。タッチパネル６０７１は、タッチスクリーンとも呼ばれ、その上または付近でのユーザによるタッチ操作（例えば、ユーザが指、タッチペンなどの任意の適切な物体または付属品を使用してタッチパネル６０７１上またはタッチパネル６０７１付近で行う操作）を収集することができる。タッチパネル６０７１は、タッチ検出装置とタッチコントローラの二つの部分を含んでもよい。そのうち、タッチ検出装置は、ユーザによるタッチ方位を検出し、タッチ操作による信号を検出し、信号をタッチコントローラに伝送する。タッチコントローラは、タッチ検出装置からタッチ情報を受信し、それをタッチポイント座標に変換してから、プロセッサ６１０に送信し、プロセッサ６１０から送信されてきたコマンドを受信し実行する。なお、抵抗式、静電容量式、赤外線及び表面音波などの様々なタイプを用いてタッチパネル６０７１を実現してもよい。タッチパネル６０７１以外、ユーザ入力ユニット６０７は、他の入力機器６０７２を含んでもよい。具体的には、他の入力機器６０７２は、物理的なキーボード、機能キー（例えば、ボリューム制御キー、スイッチキーなど）、トラックボール、マウス、操作レバーを含んでもよいが、それらに限らない。ここでは説明を省略する。
【０１３３】
さらに、タッチパネル６０７１は、表示パネル６０６１上に覆われてもよい。タッチパネル６０７１は、その上または付近でのタッチ操作を検出した場合、プロセッサ６１０に伝送して、タッチイベントのタイプを特定し、その後、プロセッサ６１０は、タッチイベントのタイプに応じて表示パネル６０６１で相応な視覚出力を提供する。図６では、タッチパネル６０７１と表示パネル６０６１は、二つの独立した部材として端末の入力と出力機能を実現するものであるが、何らかの実施例では、タッチパネル６０７１と表示パネル６０６１を集積して端末の入力と出力機能を実現してもよい。具体的には、ここでは限定しない。
【０１３４】
インターフェースユニット６０８は、外部装置と端末６００との接続のためのインターフェースである。例えば、外部装置は、有線または無線ヘッドフィンポート、外部電源（または電池充電器）ポート、有線または無線データポート、メモリカードポート、識別モジュールを有する装置への接続用のポート、オーディオ入力／出力（Ｉ／Ｏ）ポート、ビデオＩ／Ｏポート、イヤホンポートなどを含んでもよい。インターフェースユニット６０８は、外部装置からの入力（例えば、データ情報、電力など）を受信するとともに、受信した入力を端末６００内の一つまたは複数の素子に伝送するために用いられてもよく、または端末６００と外部装置との間でデータを伝送するために用いられてもよい。
【０１３５】
メモリ６０９は、ソフトウェアプログラム及び各種のデータを記憶するために用いられてもよい。メモリ６０９は、主に記憶プログラム領域および記憶データ領域を含んでもよく、そのうち、記憶プログラム領域は、オペレーティングシステム、少なくとも一つの機能に必要なアプリケーションプログラム（例えば、音声再生機能、画像再生機能など）などを記憶することができ、記憶データ領域は、携帯電話の使用によって作成されるデータ（例えば、オーディオデータ、電話帳など）などを記憶することができる。なお、メモリ６０９は、高速ランダムアクセスメモリを含んでもよく、非揮発性メモリ、例えば、少なくとも一つの磁気ディスクメモリデバイス、フラッシュメモリデバイス、または他の揮発性ソリッドステートメモリデバイスをさらに含んでもよい。
【０１３６】
プロセッサ６１０は、端末の制御センターであり、各種のインターフェースと線路によって端末全体の各部分に接続され、メモリ６０９内に記憶されたソフトウェアプログラム及び／又はモジュールを運行または実行すること、及びメモリ６０９内に記憶されたデータを呼び出し、端末の各種の機能を実行し、データを処理することにより、端末全体をモニタリングする。プロセッサ６１０は、一つまたは複数の処理ユニットを含んでもよい。好ましくは、プロセッサ６１０は、アプリケーションプロセッサとモデムプロセッサを集積してもよい。そのうち、アプリケーションプロセッサは主にオペレーティングシステム、ユーザインターフェースおよびアプリケーションプログラムなどを処理するためのものであり、モデムプロセッサは、主に無線通信を処理するためのものである。理解できることは、上記モデムプロセッサは、プロセッサ６１０に集積されなくてもよい。
【０１３７】
端末６００はさらに、各部材に電力を供給する電源６１１（例えば、電池）を含んでもよい。好ましくは、電源６１１は、電源管理システムによってプロセッサ６１０にロジック的に接続されてもよい。それにより、電源管理システムによって充放電管理及び消費電力管理などの機能を実現することができる。
【０１３８】
また、端末６００は、いくつかの示されていない機能モジュールを含む。ここでは説明を省略する。
【０１３９】
好ましくは、本開示の実施例はさらに、端末を提供する。プロセッサ６１０、メモリ６０９、メモリ６０９に記憶され、前記プロセッサ６１０上で運行できるコンピュータプログラムを含み、このコンピュータプログラムがプロセッサ６１０によって実行される時、上記伝送処理方法の実施例の各プロセスを実現させ、且つ同じ技術的効果を実現することができる。説明の重複を回避するために、ここでは説明を省略する。
【０１４０】
本開示の実施例はさらに、コンピュータ可読記憶媒体を提供する。コンピュータ可読記憶媒体にはコンピュータプログラムが記憶されており、このコンピュータプログラムがプロセッサによって実行される時、図１に示された伝送処理方法の実施例の各プロセスを実現させ、且つ同じ技術的効果を実現することができる。説明の重複を回避するために、ここでは説明を省略する。そのうち、上述したコンピュータ可読記憶媒体は、例えば、リードオンリーメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスクまたは光ディスクなどである。
【０１４１】
図７は、本開示の実施例による別の制御ノードの構成図である。図７に示すように、制御ノード７００は、プロセッサ７０１と、メモリ７０２と、バスインターフェース７０３と、送受信機７０４とを含み、そのうち、プロセッサ７０１、メモリ７０２、及び送受信機７０４は、いずれもバスインターフェース７０３まで接続される。
【０１４２】
そのうち、本開示の実施例において、制御ノード７００は、メモリ７０２に記憶されており、且つプロセッサ７０１に運行できるコンピュータプログラムをさらに含み、コンピュータプログラムがプロセッサ７０１によって実行される時、以下のようなステップを実現する。
【０１４３】
衝突が発生した第一の伝送と第二の伝送に対して衝突処理を行うための衝突処理ポリシーを送信し、
前記第一の伝送と第二の伝送のうちの少なくとも一つは、サイドリンクによる伝送であり、且つ前記第一の伝送と前記第二の伝送の伝送モードが異なる。
【０１４４】
選択的に、前記サイドリンクは、ニューラジオＮＲサイドリンクである。
【０１４５】
選択的に、前記衝突処理ポリシーは、
インターフェースタイプパラメータ、ＱｏＳパラメータ、サービスタイプ、チャネルタイプパラメータ、信号タイプパラメータ、伝送リソース周波数パラメータ、リソースプール優先度パラメータ、リソースパターン優先度パラメータ、データ伝送タイプパラメータ、リソース割り当てモード、リソース割り当て対象パラメータ、および伝送パラメータと衝突重み付け値とのマッピング関係、のうちの少なくとも一つに関連する。
【０１４６】
選択的に、コンピュータプログラムがプロセッサ７０１によって実行される時、さらに、
前記衝突処理ポリシーの有効化条件を送信するために用いられる。
【０１４７】
制御ノード７００は、前記実施例において制御ノードによって実現された各プロセスを実現することができる。説明の重複を回避するために、ここでは説明を省略する。本開示の実施例の制御ノード７００は、端末と複数組の異なる伝送モードのデータ伝送を行うとき、端末に衝突処理ポリシーを送信することができる。それによって、衝突処理ポリシーに基づき、データ伝送における衝突をどのように処理するかについて、端末とネゴシエーションすることができ、さらに、マルチモードデータ伝送における送受信衝突、パワー制限および干渉等の問題を解決することができる。
【０１４８】
本開示の実施例はさらに、コンピュータ可読記憶媒体を提供する。コンピュータ可読記憶媒体にはコンピュータプログラムが記憶されており、このコンピュータプログラムがプロセッサによって実行される時、図２に示された伝送処理方法の実施例の各プロセスを実現し、且つ同じ技術的効果を実現することができる。説明の重複を回避するために、ここでは説明を省略する。そのうち、前記コンピュータ可読記憶媒体は、例えばＲＯＭ、ＲＡＭ、磁気ディスクまたは光ディスクなどである。
【０１４９】
説明すべきことは、本明細書において、「含む」、「包含」という用語またはその他の任意の変形は、非排除性の「含む」を意図的にカバーするものであり、それにより、一連の要素を含むプロセス、方法、物品または装置は、それらの要素を含むだけではなく、明確にリストされていていない他の要素も含み、またはこのようなプロセス、方法、物品または装置に固有の要素も含むことである。それ以上の制限がない場合に、「・・・を１つ含む」という文章で限定された要素について、この要素を含むプロセス、方法、物品または装置には他の同じ要素が存在することが排除されていない。
【０１５０】
以上の実施の形態の記述によって、当業者であればはっきりと分かるように、上記実施例の方法は、ソフトウェアと必要な汎用ハードウェアプラットフォームの方式によって実現されてもよい。もちろん、ハードウェアによっても実現されるが、多くの場合、前者は好適な実施の形態である。このような理解を踏まえて、本開示の技術案は、実質的には、または関連技術に寄与した部分がソフトウェア製品の形式によって表われてもよい。このコンピュータソフトウェア製品は、一つの記憶媒体（ＲＯＭ／ＲＡＭ、磁気ディスク、光ディスク等）に記憶され、一台の端末（携帯電話、コンピュータ、サーバ、エアコン、またはネットワーク側機器などであってもよい）に本開示の各実施例に記載の方法を実行させるための若干の指令を含む。
【０１５１】
以上、添付図面を結び付けながら、本開示の実施例を記述したが、本開示は、上述した具体的な実施の形態に限らず、上述した具体的な実施の形態は例示的なものに過ぎず、制限性のあるものではない。当業者は、本開示による示唆を基にして、本開示の趣旨や請求項が保護する範囲から逸脱しない限り、多くの形式の変更を行うことができ、それらはいずれも本開示の保護範囲に入る。
【図１】
2022501966.tif 000003
【図２】
2022501966.tif 000004
【図３】
2022501966.tif 000005
【図４】
2022501966.tif 000006
【図５】
2022501966.tif 000007
【図６】
2022501966.tif 000008
【図７】
2022501966.tif 000009
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
端末に用いられる伝送処理方法であって、
第一の伝送と第二の伝送に衝突が発生した場合、衝突処理ポリシーに基づき、前記第一の伝送と前記第二の伝送に対して衝突処理を行うことを含み、
前記第一の伝送と前記第二の伝送のうちの少なくとも一つは、サイドリンクによる伝送であり、且つ前記第一の伝送と前記第二の伝送の伝送モードが異なる、伝送処理方法。
【請求項２】
前記サイドリンクは、ニューラジオＮＲサイドリンクである、請求項１に記載の伝送処理方法。
【請求項３】
前記衝突処理ポリシーは、
インターフェースタイプパラメータ、サービス品質ＱｏＳパラメータ、サービスタイプ、チャネルタイプパラメータ、信号タイプパラメータ、伝送リソース周波数パラメータ、リソースプール優先度パラメータ、リソースパターン優先度パラメータ、データ伝送タイプパラメータ、リソース割り当てモード、リソース割り当て対象パラメータ、伝送パラメータと衝突重み付け値とのマッピング関係、および端末能力パラメータ、のうちの少なくとも一つに関連する、請求項１に記載の伝送処理方法。
【請求項４】
前記衝突処理ポリシーは、衝突処理操作を含み、前記衝突処理操作は、受信操作の放棄、送信操作の放棄、および送信パワーの低減、のうちの少なくとも一つを含む、請求項１に記載の伝送処理方法。
【請求項５】
前記衝突処理ポリシーは、
前記第一の伝送と前記第二の伝送のインターフェースタイプが異なる場合、前記第一の伝送と前記第二の伝送のうち、インターフェースタイプパラメータに基づいて決定される伝送である第一のターゲット伝送を廃棄するか、または前記第一のターゲット伝送の送信パワーを低減させること、
前記第一の伝送と前記第二の伝送に対応するサービス品質ＱｏＳ指標が異なる場合、前記第一の伝送と前記第二の伝送のうち、対応する優先度が比較的低いか、または時間遅延指標が比較的高い伝送である第二のターゲット伝送を廃棄するか、または前記第二のターゲット伝送の送信パワーを低減させること、
前記第一の伝送と前記第二の伝送に対応するサービスタイプが異なる場合、前記第一の伝送と前記第二の伝送のうち、対応するサービスタイプの優先度が比較的低い伝送、または、前記第一の伝送と前記第二の伝送のうち、対応するサービスタイプが予め設定されたサービスタイプに属さない伝送である第三のターゲット伝送を廃棄するか、または前記第三のターゲット伝送の送信パワーを低減させること、
前記第一の伝送と前記第二の伝送に対応するチャネルタイプまたは信号タイプが異なる場合、前記第一の伝送と前記第二の伝送のうち、対応するチャネルタイプまたは信号タイプの優先度が比較的低い伝送、または、前記第一の伝送と前記第二の伝送のうち、対応するチャネルタイプまたは信号タイプが予め設定されたタイプに属さない伝送である第四のターゲット伝送を廃棄するか、または前記第四のターゲット伝送の送信パワーを低減させること、
前記第一の伝送と前記第二の伝送に対応する伝送リソースの周波数パラメータが異なる場合、前記第一の伝送と前記第二の伝送のうち、対応する伝送リソースの周波数パラメータの優先度が比較的低い伝送、または、前記第一の伝送と前記第二の伝送のうち、対応する伝送リソースの周波数パラメータが予め設定された周波数パラメータに属さない伝送である第五のターゲット伝送を廃棄するか、または前記第五のターゲット伝送の送信パワーを低減させること、
前記第一の伝送と前記第二の伝送に対応する伝送リソースプールまたは伝送リソースパターンが異なる場合、前記第一の伝送と前記第二の伝送のうち、対応する伝送リソースプールまたは伝送リソースパターンの優先度が比較的低い伝送、または、前記第一の伝送と前記第二の伝送のうち、対応する伝送リソースプールまたは伝送リソースパターンが予め設定された伝送リソースプールまたは伝送リソースパターンに属さない伝送である第六のターゲット伝送を廃棄するか、または前記第六のターゲット伝送の送信パワーを低減させること、
前記第一の伝送と前記第二の伝送に対応するデータ伝送タイプが異なる場合、前記第一の伝送と前記第二の伝送のうち、対応するデータ伝送タイプの優先度が比較的低い伝送、または、前記第一の伝送と前記第二の伝送のうち、対応するデータ伝送タイプが予め設定されたデータ伝送タイプに属さない伝送である第七のターゲット伝送を廃棄するか、または前記第七のターゲット伝送の送信パワーを低減させること、
前記第一の伝送と前記第二の伝送に対応するリソース割り当て対象が異なる場合、前記第一の伝送と前記第二の伝送のうち、対応するリソース割り当て対象の優先度が比較的低い伝送、または、前記第一の伝送と前記第二の伝送のうち、対応するリソース割り当て対象が予め設定されたリソース割り当て対象に属さない伝送である第八のターゲット伝送を廃棄するか、または前記第八のターゲット伝送の送信パワーを低減させること、
前記第一の伝送と前記第二の伝送に対応するリソース割り当てモードが異なる場合、前記第一の伝送と前記第二の伝送のうち、対応するリソース割り当てモードの優先度が比較的低い伝送、または、前記第一の伝送と前記第二の伝送のうち、対応するリソース割り当てモードが予め設定されたリソース割り当てモードに属さない伝送である第九のターゲット伝送を廃棄するか、または前記第九のターゲット伝送の送信パワーを低減させること、及び
伝送パラメータと衝突重み付け値とのマッピング関係に基づき、前記第一の伝送と前記第二の伝送のそれぞれの衝突重み付け値を計算し、前記衝突重み付け値によって、前記第一の伝送と前記第二の伝送から、第十のターゲット伝送を決定し且つ廃棄するか、または前記第十のターゲット伝送の送信パワーを低減させること、のうちの少なくとも一つである、請求項１に記載の伝送処理方法。
【請求項６】
前記第一の伝送及び前記第二の伝送は、異なるチャネルタイプ又は信号タイプに対応し、前記異なるチャネルタイプ又は信号タイプの優先度は予め定義され、前記異なるチャネルタイプ又は信号タイプは、チャネル状態情報ＣＳＩ（Ｃｈａｎｎｅｌ  Ｓｔａｔｅ  Ｉｎｆｏｒｍａｔｉｏｎ）フィードバックを含む、請求項１に記載の伝送処理方法。
【請求項７】
制御ノードに用いられる伝送処理方法であって、
衝突が発生した第一の伝送と第二の伝送に対して衝突処理を行うための衝突処理ポリシーを送信することを含み、
前記第一の伝送と前記第二の伝送のうちの少なくとも一つは、サイドリンクによる伝送であり、且つ前記第一の伝送と前記第二の伝送の伝送モードが異なる、伝送処理方法。
【請求項８】
第一の伝送と第二の伝送に衝突が発生した場合、衝突処理ポリシーに基づき、前記第一の伝送と前記第二の伝送に対して衝突処理を行うための衝突処理モジュールを含み、
前記第一の伝送と前記第二の伝送のうちの少なくとも一つは、サイドリンクによる伝送であり、且つ前記第一の伝送と前記第二の伝送の伝送モードが異なる、端末。
【請求項９】
前記サイドリンクは、ニューラジオＮＲサイドリンクである、請求項８に記載の端末。
【請求項１０】
前記衝突処理ポリシーは、
インターフェースタイプパラメータ、サービス品質ＱｏＳパラメータ、サービスタイプ、チャネルタイプパラメータ、信号タイプパラメータ、伝送リソース周波数パラメータ、リソースプール優先度パラメータ、リソースパターン優先度パラメータ、データ伝送タイプパラメータ、リソース割り当てモード、リソース割り当て対象パラメータ、伝送パラメータと衝突重み付け値とのマッピング関係、および端末能力パラメータ、のうちの少なくとも一つに関連する、請求項８に記載の端末。
【請求項１１】
前記衝突処理ポリシーは、プロトコルによって予め定義されたポリシー、予め配置されたポリシー、または制御ノードによって配置されたポリシーであり、
及び／又は、
前記衝突処理ポリシーの有効化条件は、プロトコルによって予め定義されたトリガ条件、または予め配置された有効化条件、または制御ノードによって配置された有効化条件である、請求項８に記載の端末。
【請求項１２】
前記衝突処理ポリシーは、衝突処理操作を含み、前記衝突処理操作は、受信操作の放棄、送信操作の放棄、および送信パワーの低減、のうちの少なくとも一つを含む、請求項８に記載の端末。
【請求項１３】
前記衝突処理ポリシーは、
前記第一の伝送と前記第二の伝送のインターフェースタイプが異なる場合、前記第一の伝送と前記第二の伝送のうち、インターフェースタイプパラメータに基づいて決定される伝送である第一のターゲット伝送を廃棄するか、または前記第一のターゲット伝送の送信パワーを低減させること、
前記第一の伝送と前記第二の伝送に対応するサービス品質ＱｏＳ指標が異なる場合、前記第一の伝送と前記第二の伝送のうち、対応する優先度が比較的低いか、または時間遅延指標が比較的高い伝送である第二のターゲット伝送を廃棄するか、または前記第二のターゲット伝送の送信パワーを低減させること、
前記第一の伝送と前記第二の伝送に対応するサービスタイプが異なる場合、前記第一の伝送と前記第二の伝送のうち、対応するサービスタイプの優先度が比較的低い伝送、または、前記第一の伝送と前記第二の伝送のうち、対応するサービスタイプが予め設定されたサービスタイプに属さない伝送である第三のターゲット伝送を廃棄するか、または前記第三のターゲット伝送の送信パワーを低減させること、
前記第一の伝送と前記第二の伝送に対応するチャネルタイプまたは信号タイプが異なる場合、前記第一の伝送と前記第二の伝送のうち、対応するチャネルタイプまたは信号タイプの優先度が比較的低い伝送、または、前記第一の伝送と前記第二の伝送のうち、対応するチャネルタイプまたは信号タイプが予め設定されたタイプに属さない伝送である第四のターゲット伝送を廃棄するか、または前記第四のターゲット伝送の送信パワーを低減させること、
前記第一の伝送と前記第二の伝送に対応する伝送リソースの周波数パラメータが異なる場合、前記第一の伝送と前記第二の伝送のうち、対応する伝送リソースの周波数パラメータの優先度が比較的低い伝送、または、前記第一の伝送と前記第二の伝送のうち、対応する伝送リソースの周波数パラメータが予め設定された周波数パラメータに属さない伝送である第五のターゲット伝送を廃棄するか、または前記第五のターゲット伝送の送信パワーを低減させること、
前記第一の伝送と前記第二の伝送に対応する伝送リソースプールまたは伝送リソースパターンが異なる場合、前記第一の伝送と前記第二の伝送のうち、対応する伝送リソースプールまたは伝送リソースパターンの優先度が比較的低い伝送、または、前記第一の伝送と前記第二の伝送のうち、対応する伝送リソースプールまたは伝送リソースパターンが予め設定された伝送リソースプールまたは伝送リソースパターンに属さない伝送である第六のターゲット伝送を廃棄するか、または前記第六のターゲット伝送の送信パワーを低減させること、
前記第一の伝送と前記第二の伝送に対応するデータ伝送タイプが異なる場合、前記第一の伝送と前記第二の伝送のうち、対応するデータ伝送タイプの優先度が比較的低い伝送、または、前記第一の伝送と前記第二の伝送のうち、対応するデータ伝送タイプが予め設定されたデータ伝送タイプに属さない伝送である第七のターゲット伝送を廃棄するか、または前記第七のターゲット伝送の送信パワーを低減させること、
前記第一の伝送と前記第二の伝送に対応するリソース割り当て対象が異なる場合、前記第一の伝送と前記第二の伝送のうち、対応するリソース割り当て対象の優先度が比較的低い伝送、または、前記第一の伝送と前記第二の伝送のうち、対応するリソース割り当て対象が予め設定されたリソース割り当て対象に属さない伝送である第八のターゲット伝送を廃棄するか、または前記第八のターゲット伝送の送信パワーを低減させること、
前記第一の伝送と前記第二の伝送に対応するリソース割り当てモードが異なる場合、前記第一の伝送と前記第二の伝送のうち、対応するリソース割り当てモードの優先度が比較的低い伝送、または、前記第一の伝送と前記第二の伝送のうち、対応するリソース割り当てモードが予め設定されたリソース割り当てモードに属さない伝送である第九のターゲット伝送を廃棄するか、または前記第九のターゲット伝送の送信パワーを低減させること、及び
伝送パラメータと衝突重み付け値とのマッピング関係に基づき、前記第一の伝送と前記第二の伝送のそれぞれの衝突重み付け値を計算し、前記衝突重み付け値によって、前記第一の伝送と前記第二の伝送から、第十のターゲット伝送を決定し且つ廃棄するか、または前記第十のターゲット伝送の送信パワーを低減させること、のうちの少なくとも一つである、請求項８に記載の端末。
【請求項１４】
前記第一の伝送及び前記第二の伝送は、異なるチャネルタイプ又は信号タイプに対応し、前記異なるチャネルタイプ又は信号タイプの優先度は予め定義され、前記異なるチャネルタイプ又は信号タイプは、チャネル状態情報ＣＳＩフィードバックを含む、請求項８に記載の端末。
【請求項１５】
衝突が発生した第一の伝送と第二の伝送に対して衝突処理を行うための衝突処理ポリシーを送信するための第一の送信モジュールを含み、
前記第一の伝送と前記第二の伝送のうちの少なくとも一つは、サイドリンクによる伝送であり、且つ前記第一の伝送と前記第二の伝送の伝送モードが異なる、制御ノード。
【国際調査報告】
2022501966.tif 000010
2022501966.tif 000011
2022501966.tif 000012
2022501966.tif 000013